(57)【要約】【課題】印刷されるテープの幅が狭小でも、テープに印字される文字のつぶれ、読み難さを回避して目的のテープを作成する印刷装置及び印刷システムの提供を目的とする。【解決手段】印刷媒体幅が所定の閾値以下である場合（Ｓ３：ＹＥＳ）、Ｓ５に進み、Ｓ１で指定された書体に展開された文字を簡易化された書体データ５７に置き換える。この簡易化された書体データ５７は、小さい文字でも見易いように線を細くしたり、場合によっては線を省略したりして作成されている。そして、入力された文字列をＳ５で置き換えられた簡易化された書体データ５７を用いてイメージに展開し、サーマル印刷機構４で印刷されて印刷された印刷媒体２３ができる。【選択図】図５
2007233785.tif 000002
【特許請求の範囲】
【請求項１】
文字を入力する入力手段と、前記入力手段によって入力された文字を印刷媒体に印刷する印刷手段と、前記印刷媒体の幅が所定の幅以下であるか否かを検出する検出手段とを備えた印刷装置において、
前記検出手段により前記印刷媒体が所定の幅以下であることが検出されたとき、前記入力された文字を簡易化する第１の簡易化手段と、
前記第１の簡易化手段によって簡易化された文字を、前記印刷手段により前記印刷媒体に印刷する制御手段と、
を備えたことを特徴とする印刷装置。
【請求項２】
前記第１の簡易化手段は、文字の画数が所定の画数を超えたとき、その文字をひらがなに変換するようにしたことを特徴とする請求項１に記載の印刷装置。
【請求項３】
前記第１の簡易化手段は、一つ以上の文字から構成される単語において、単語の中の少なくとも一つの文字の画数が所定の画数を超えたとき、その単語を全てひらがなに変換するようにしたことを特徴とする請求項１に記載の印刷装置。
【請求項４】
入力された単語を同義語に変換するための同義語変換手段を備え、
前記第１の簡易化手段は、一つ以上の文字から構成される単語において、単語の中の少なくとも一つの文字の画数が所定の画数を超えたとき、その単語を前記同義語変換手段により同義語に変換するようにしたことを特徴とする請求項１に記載の印刷装置。
【請求項５】
前記第１の簡易化手段は、簡易化する文字の画数を選択できるようにしたことを特徴とする請求項１乃至請求項４のいずれかに記載の印刷装置。
【請求項６】
前記第１の簡易化手段によって簡易化された文字は、文字の書体を簡易化した簡易化フォントであることを特徴とする請求項１に記載の印刷装置。
【請求項７】
印刷装置と文字及び図形を入力する入力手段を有するパーソナルコンピュータとがデータを送受信可能に接続され、さらに、前記入力手段により入力された文字及び図形をラスタデータに変換し、前記パーソナルコンピュータから前記印刷装置へ送信する印刷システムにおいて、
前記印刷装置は、文字及び図形を印刷媒体に印刷する印刷手段と、前記印刷媒体の幅が所定の幅以下であるか否かを検出する検出手段とを備え、
前記パーソナルコンピュータは、前記検出手段により前記印刷媒体が所定の幅以下であることが検出された検出信号を受信したとき、前記入力手段によって入力された文字及び図形を、それぞれ前記文字を示す文字コードと前記図形のイメージを示すラスタデータに変換して前記印刷手段に送信する印刷制御手段を備えたことを特徴とする印刷システム。
【請求項８】
前記印刷装置は、前記印刷制御手段から送信された文字コードに基づいて、印刷装置に内蔵されている所定幅以下の印刷媒体用に調整された専用フォントに変換して前記印刷手段により前記印刷媒体に印刷することを特徴とする請求項７に記載の印刷システム。
【請求項９】
印刷装置と文字及び図形を入力する入力手段を有するパーソナルコンピュータとがデータを送受信可能に接続された印刷システムにおいて、
前記印刷装置は、文字及び図形を印刷媒体に印刷する印刷手段と、前記印刷媒体の幅が所定の幅以下であるか否かを検出する検出手段と、前記検出手段により前記印刷媒体が所定の幅以下であることが検出されたとき、前記入力された文字を簡易化する第１の簡易化手段とを備え、
前記パーソナルコンピュータは、前記検出手段により前記印刷媒体が所定の幅以下であることが検出された検出信号を受信したとき、前記入力手段によって入力された文字及び図形をそれぞれ文字コードとラスタデータに分割して前記印刷手段に送信する印刷制御手段とを備え、
前記印刷装置は、前記印刷制御手段から送信された文字コードの文字を前記第１の簡易化手段により簡易化するとともに、その簡易化された文字コードの文字と前記印刷制御手段から送信されたラスタデータとを合成して前記印刷手段により前記印刷媒体に印刷することを特徴とする印刷システム。
【請求項１０】
前記パーソナルコンピュータは、文字を前記第１の簡易化手段によって簡易化するのと同様に簡易化する第２の簡易化手段を有し、前記検出手段により前記印刷媒体が所定の幅以下であることが検出された検出信号を受信したとき、前記入力手段で入力された文字を前記第２の簡易化手段によって簡易化された文字の文字コードに変換して前記印刷手段に送信することを特徴とする請求項９に記載の印刷システム。
【発明の詳細な説明】
【技術分野】
【０００１】
本発明は、印刷装置及び印刷システムに関し、特にテープ幅の細いテープに対して印刷する文字・図形の処理に関する。
【背景技術】
【０００２】
近年、音楽ＣＤ、ＣＤ−ＲＯＭ、ＤＶＤ等のデータを記録しておくための記録媒体であるメディアが多数普及している。これに伴いこれらのメディアを保管するためのケースも多数出荷されて使用されている。そして、このケースは、それぞれのメディアの形状に合わせた投影面積と薄さで形成されている。
【０００３】
ところで、上述のメディアを保管する薄いケースの背中にメディアの内容を活字で記述した細いテープを貼る要求がある。ところが、この細いテープの領域に活字を印刷して収めようとすると、活字が小さくなってしまって読めなくなるという問題があった。この問題を解決するための技術として、特許文献１には、印刷される用紙サイズが設定されると印刷される文字の大きさ（ポイント数）によって書体を変更する技術が開示されている。
【０００４】
【特許文献１】特開昭２００４−１１８４６５号公報（段落００５６〜段落００６０）
【発明の開示】
【発明が解決しようとする課題】
【０００５】
しかしながら、上述のように、印刷される用紙サイズが設定され、印刷される文字の大きさ（ポイント数）によって書体を変更する技術は、簡単な文字には有効であるが画数の多い文字に対しては文字のつぶれが発生して読めないという問題があった。
【０００６】
本発明は、上述した問題点に鑑みてなされたものであり、印刷されるテープの幅が所定のテープ幅以下であることが検出されたとき、テープに印字される文字を簡易化することにより文字のつぶれ、読み難さを回避して目的のテープを作成する印刷装置及び印刷システムを提供することを目的とする。
【課題を解決するための手段】
【０００７】
この課題を解決するために成された請求項１に係る発明は、文字を入力する入力手段と、前記入力手段によって入力された文字を印刷媒体に印刷する印刷手段と、前記印刷媒体の幅が所定の幅以下であるか否かを検出する検出手段とを備えた印刷装置において、前記検出手段により前記印刷媒体が所定の幅以下であることが検出されたとき、文字を簡易化する第１の簡易化手段と、前記第１の簡易化手段によって簡易化された文字を、前記印刷手段により前記印刷媒体に印刷する制御手段と、を備えたことを特徴とする。
【０００８】
また、請求項２に係る発明は、請求項１に記載の印刷装置において、前記第１の簡易化手段は、文字の画数が所定の画数を超えたとき、その文字をひらがなに変換するようにしたことを特徴とする。
【０００９】
また、請求項３に係る発明は、請求項１に記載の印刷装置において、前記第１の簡易化手段は、一つ以上の文字から構成される単語において、単語の中の少なくとも一つの文字の画数が所定の画数を超えたとき、その単語を全てひらがなに変換するようにしたことを特徴とする。
【００１０】
また、請求項４に係る発明は、請求項１に記載の印刷装置において、入力された単語を同義語に変換するための同義語変換手段を備え、前記第１の簡易化手段は、一つ以上の文字から構成される単語において、単語の中の少なくとも一つの文字の画数が所定の画数を超えたとき、その単語を前記同義語変換手段により同義語に変換するようにしたことを特徴とする。
【００１１】
また、請求項５に係る発明は、請求項１乃至請求項４のいずれかに記載の印刷装置において、前記第１の簡易化手段は、簡易化する文字の画数を選択できるようにしたことを特徴とする。
【００１２】
また、請求項６に係る発明は、請求項１に記載の印刷装置において、前記第１の簡易化手段によって簡易化された文字は、文字の書体を簡易化した簡易化フォントであることを特徴とする。
【００１３】
また、請求項７に係る発明は、印刷装置と文字及び図形を入力する入力手段を有するパーソナルコンピュータとがデータを送受信可能に接続され、さらに、前記入力手段により入力された文字及び図形をラスタデータに変換し、前記パーソナルコンピュータから前記印刷装置へ送信する印刷システムにおいて、前記印刷装置は、文字及び図形を印刷媒体に印刷する印刷手段と、前記印刷媒体の幅が所定の幅以下であるか否かを検出する検出手段とを備え、前記パーソナルコンピュータは、前記検出手段により前記印刷媒体が所定の幅以下であることが検出された検出信号を受信したとき、前記入力手段によって入力された文字及び図形を、それぞれ前記文字を示す文字コードと前記図形のイメージを示すラスタデータに変換して前記印刷手段に送信する印刷制御手段を備えたことを特徴とする。
【００１４】
また、請求項８に係る発明は、請求項７に記載の印刷システムにおいて、前記印刷装置は、前記印刷制御手段から送信された文字コードに基づいて、印刷装置に内蔵されている所定幅以下の印刷媒体用に調整された専用フォントに変換して前記印刷手段により前記印刷媒体に印刷することを特徴とする。
【００１５】
また、請求項９に係る発明は、印刷装置と文字及び図形を入力する入力手段を有するパーソナルコンピュータとがデータを送受信可能に接続された印刷システムにおいて、前記印刷装置は、文字及び図形を印刷媒体に印刷する印刷手段と、前記印刷媒体の幅が所定の幅以下であるか否かを検出する検出手段と、前記検出手段により前記印刷媒体が所定の幅以下であることが検出されたとき、文字を簡易化する第１の簡易化手段とを備え、前記パーソナルコンピュータは、前記検出手段により前記印刷媒体が所定の幅以下であることが検出された検出信号を受信したとき、前記入力手段によって入力された文字及び図形をそれぞれ文字コードとラスタデータに分割して前記印刷手段に送信する印刷制御手段とを備え、前記印刷装置は、前記印刷制御手段から送信された文字コードの文字を前記第１の簡易化手段により簡易化するとともに、その簡易化された文字コードの文字と前記印刷制御手段から送信されたラスタデータとを合成して前記印刷手段により前記印刷媒体に印刷することを特徴とする。
【００１６】
そして、請求項１０に係る発明は、請求項９に記載の印刷システムにおいて、前記パーソナルコンピュータは、文字を前記第１の簡易化手段によって簡易化される文字と同じ文字に簡易化する第２の簡易化手段を有し、前記検出手段により前記印刷媒体が所定の幅以下であることが検出された検出信号を受信したとき、前記入力手段で入力された文字を前記第２の簡易化手段によって簡易化された文字の文字コードに変換して前記印刷手段に送信することを特徴とする。
【発明の効果】
【００１７】
請求項１に記載の発明に係る印刷装置では、検出手段により印刷媒体が所定の幅以下であることが検出されたとき、文字を簡易化する第１の簡易化手段と、第１の簡易化手段によって簡易化された文字を、印刷手段により印刷媒体に印刷する制御手段と、を備えたことにより、印刷媒体が所定の幅以下のとき印刷装置は、入力された文字を印刷装置が備えている文字の書体を簡易化する第１の簡易化手段によって簡易化してから、印刷手段により印刷媒体に印刷するようにしたので、所定幅以下の印刷媒体であっても文字つぶれを防止することができる。
【００１８】
また、請求項２に記載の発明に係る印刷装置では、請求項１に記載の発明の効果に加え第１の簡易化手段は、文字の画数が所定の画数を超えたとき、その文字をひらがなに変換するようにしたので、文字の画数が多いために文字がつぶれて読めないという問題を解決できる。
【００１９】
また、請求項３に記載の発明に係る印刷装置では、請求項１に記載の発明の効果に加え第１の簡易化手段が、一つ以上の文字から構成される単語において、単語の中の少なくとも一つの文字の画数が所定の画数を超えたとき、その単語を全てひらがなに変換するようにしたので、文字の画数が多いために文字がつぶれて読めないという問題を解決できる。また、単語の中で一つの文字の画数が所定の画数を超えたことにより、その文字のみをひらがなに変換した単語を含む文章が読み難いという問題を解決することができる。
【００２０】
また、請求項４に記載の発明に係る印刷装置では、請求項１に記載の発明の効果に加え入力された単語を同義語に変換するための同義語変換手段を備え、第１の簡易化手段が、一つ以上の文字から構成される単語において、単語の中の少なくとも一つの文字の画数が所定の画数を超えたとき、その単語を同義語変換手段により同義語に変換するようにしたので、そのままその単語を使用すると文字がつぶれて読めなくなる問題をつぶれ難い同義語に変換したり、画数の少ない同義語に変換したりすることによって回避することができる。
【００２１】
また、請求項５に記載の発明に係る印刷装置では、請求項１乃至請求項４のいずれかに記載の発明の効果に加え第１の簡易化手段が、簡易化する文字の画数を選択できるようにしたので、一律に簡易化する文字の画数を固定してしまうと設定した画数よりも少ない画数でも文字がつぶれたりする問題や、設定した画数よりも多い画数でも文字のつぶれに対して余裕があっても簡易化されたりする事柄をその都度簡易化する文字の画数を選択することによって解決することができる。
【００２２】
また、請求項６に記載の発明に係る印刷装置では、請求項１に記載の発明の効果に加え第１の簡易化手段によって簡易化された文字が、文字の書体を簡易化した簡易化フォントであるので、文字が太いとか、文字の画数が多いために文字がつぶれて読めないという問題を解決できる。
【００２３】
また、請求項７に記載の発明に係る印刷システムでは、印刷装置が、文字及び図形を印刷媒体に印刷する印刷手段と、印刷媒体の幅が所定の幅以下であるか否かを検出する検出手段とを備え、パーソナルコンピュータは、検出手段により印刷媒体が所定の幅以下であることが検出された検出信号を受信したとき、入力手段によって入力された文字及び図形を、それぞれ文字を示す文字コードと図形のイメージを示すラスタデータに変換して印刷手段に送信する印刷制御手段を備えたので、印刷媒体が所定の幅以下のときパーソナルコンピュータから印刷装置に送る文字と図形のデータにおいて、文字と図形を一緒にしたラスタデータで印刷するとつぶれて読めなくなる文字を、図形のイメージを示すラスタデータと分離して文字を示す文字コードで送信することによって印刷装置に内蔵しているその文字コードに対応したその印刷装置用のフォントを選択して使用できるので文字つぶれを防止することができる。
【００２４】
また、請求項８に記載の発明に係る印刷システムでは、請求項７に記載の発明の効果に加え印刷装置が、印刷制御手段から送信された文字コードに基づいて、印刷装置に内蔵されている所定幅以下の印刷媒体用に調整された専用フォントに変換して印刷手段により印刷媒体に印刷するようにしたので、所定幅以下の印刷媒体であっても文字つぶれを防止することができる。
【００２５】
また、請求項９に記載の発明に係る印刷システムでは、印刷装置が、文字及び図形を印刷媒体に印刷する印刷手段と、印刷媒体の幅が所定の幅以下であるか否かを検出する検出手段と、検出手段により印刷媒体が所定の幅以下であることが検出されたとき、文字を簡易化する第１の簡易化手段とを備え、パーソナルコンピュータは、検出手段により印刷媒体が所定の幅以下であることが検出された検出信号を受信したとき、入力手段によって入力された文字及び図形をそれぞれ文字コードとラスタデータに分割して印刷手段に送信する印刷制御手段とを備え、印刷装置は、印刷制御手段から送信された文字コードの文字を第１の簡易化手段により簡易化するとともに、その簡易化された文字コードの文字と印刷制御手段から送信されたラスタデータとを合成して印刷手段により印刷媒体に印刷するようにしたことにより、印刷媒体が所定の幅以下のとき、パーソナルコンピュータが印刷装置に送る文字と図形において、文字と図形を一緒にしたラスタデータで送信して印刷するとつぶれて読めなくなる文字を、図形のイメージを示すラスタデータと分離し、文字コードで送信することにより、印刷装置が、この文字コードを基にして第１の簡易化手段により簡易化するとともにその簡易化された文字コードに対応する文字のデータと同時に送られてきた図形のイメージを示すラスタデータと合成してから、印刷手段により印刷媒体に印刷するようにしたので、所定幅以下の印刷媒体であっても文字つぶれを防止することができる。
【００２６】
そして、請求項１０に記載の発明に係る印刷システムでは、請求項９に記載の発明の効果に加えパーソナルコンピュータが、文字を第１の簡易化手段によって簡易化される文字と同じ文字に簡易化する第２の簡易化手段を有し、検出手段により印刷媒体が所定の幅以下であることが検出された検出信号を受信したとき、入力手段で入力された文字を第２の簡易化手段によって簡易化された文字の文字コードに変換して印刷手段に送信するようにしたことにより、印刷媒体が所定の幅以下のとき、パーソナルコンピュータが印刷手段に送る文字データを第２の簡易化手段によって簡易化し、文字のつぶれが無いことをパーソナルコンピュータ側で確認してから文字データを印刷装置に送信するようにしたので、印刷装置がその文字データを印刷手段により印刷媒体に印刷するとき、所定幅以下の印刷媒体であっても文字つぶれ無しで印刷することができる。
【発明を実施するための最良の形態】
【００２７】
以下、本発明に係る印刷装置１について、本発明を具体化した第１の実施形態に基づき図面を参照しつつ詳細に説明する。先ず、本実施形態に係る印刷装置１の概略構成について図１乃至図４に基づき説明する。図１は、第１の実施形態における印刷装置１の斜視図、図２は、印刷装置１のカバー部材８を開けた斜視図、図３は、印刷媒体カセット１０を装着したサーマル印刷機構４の概略平面図、図４は、印刷装置１の制御系のブロック図である。
【００２８】
図１及び図２において、印刷装置１の本体フレーム２の前部にはキーボード３が配設され、キーボード３の後方で本体フレーム２内にはサーマル印刷機構４が配設され、またキーボード３の上方寄りには、入力した文字や記号を表示可能な液晶ディスプレイ（以後はＬＣＤと省略）５が設けられている。更に、本体フレーム２の右側側面後方には、電源をＯＮ／ＯＦＦする為の電源スイッチ６が設けられている。そして、本体フレーム２の左側後方角には、印刷された印刷媒体２３をカットするためのカッター釦７が設けられている。
【００２９】
キーボード３には、アルファベット文字や数字や記号を入力する為の文字キー、スペースキー、Enterキー３ａ、カーソル移動キー３ｂ、Back Spaceキーや取消キー等の編集キー、印字を指令する印刷キーが設けられている。これらは、氏名用のテープ、ファイル用の背表紙、メディアを保管する薄いケース用の背表紙等を印刷装置１で作成するときに必要に応じてアルファベット文字や数字や記号を入力するために使用される。
【００３０】
本体フレーム２の後側において、図２のカバー部材８を開けた状態に示すように、ＬＣＤ５の後方にラミネートテープ１１を所定形状のカセットケースに収納した印刷媒体カセット１０（図３参照）を装着するカセット保持部９が形成され、そのカセット保持部９には、印刷媒体カセット１０内の使用済みのインクリボン１３を巻取るためのリボン巻取カム２５と、印字済みのテープを送り駆動するためのテープ送りローラカム２６とが配置されている。カセット保持部９にはこの他、ラミネートテープ１１に文字等を印字するサーマルヘッド１９が、印刷媒体カセット１０を装着した際にその開口部２７に位置するように放熱を兼ねたサブフレーム２８に取り付けられて配置されている。また、図3に示すように、サーマルヘッド１９に対向して、ローラホルダ２２がプラテンローラ２０及び送りローラ２１を保持すると共に、ホルダ軸２９を中心にして回動可能な状態で配置されている。
【００３１】
次に、サーマル印刷機構４について、図３に基づいて簡単に説明する。このサーマル印刷機構４には、着脱自在に矩形状の印刷媒体カセット１０が装着されており、この印刷媒体カセット１０には、印刷媒体であるラミネートテープ１１が巻装されたテープスプール１２とインクリボン１３が巻装されたリボンスプール１４と、このインクリボン１３を巻取るリボン巻取りスプール１５と、ラミネートテープ１１と同一幅を有する両面テープ１６が剥離紙を外側にして巻装された供給スプール１７と、ラミネートテープ１１と両面テープ１６とを押圧して接合させる接合ローラ１８とが回転自在に設けられている。
【００３２】
前記ラミネートテープ１１とインクリボン１３とが重なる位置には、サーマルヘッド１９が立設され、これらラミネートテープ１１とインクリボン１３とをサーマルヘッド１９に押圧するプラテンローラ２０と、ラミネートテープ１１と両面テープ１６とを接合ローラ１８に押圧して印刷された印刷媒体２３を作成しながらテープ送りする送りローラ２１とは、本体フレーム２に設けられたホルダ軸２９に回動自在に枢着されたローラホルダ２２に回転可能に枢支されている。このサーマルヘッド１９には、複数の発熱素子が上下方向に列設されている。
【００３３】
従って、テープ送りモータ３６（図４参照）の所定回転方向への駆動により、接合ローラ１８とリボン巻取りスプール１５とが所定回転方向に各々同期して駆動されながら、サーマルヘッド１９の複数の発熱素子に通電された時、ラミネートテープ１１の裏面側には、複数のドット列により文字や記号が鏡像で印刷され、しかもラミネートテープ１１の裏面側に両面テープ１６が接合されて印刷された印刷媒体２３が作成され、印刷された印刷媒体２３が排出方向Ｔの方向に搬送されて、図１及び図３に示すように、本体フレーム２の外側に排出される。
【００３４】
なお、この印刷媒体カセット１０は、そのテープ幅やテープ種類によって複数の印刷媒体カセット１０が用意されている。この印刷媒体カセット１０の底壁部には、複数のテープ種検出用穴２４が形成され、このテープ種検出用穴２４の組合せによってテープ幅やテープ種類が決まり、この情報が本体フレーム２に設けられたカセット保持部９の右上角に取り付けられているテープ種検出センサ３０（図２、図４参照）で読み取られる。
【００３５】
次に、印刷装置１の制御系について、図４に基づいて説明する。制御装置４６の入出力インターフェイス４４には、キーボード３と、テープ種検出センサ３０と、ＬＣＤ５に表示データを出力する為のビデオＲＡＭ３１を有するディスプレイコントローラ（以後はＬＣＤＣと省略）３２と、サーマルヘッド１９を駆動する為の駆動回路３５と、テープ送りモータ３６を駆動する為の駆動回路３７とが、各々接続されている。
【００３６】
制御装置４６は、ＣＰＵ４０と、このＣＰＵ４０にデータバスなどのバス４５を介して接続された入出力インターフェイス４４、表示用キャラクタジェネレータＲＯＭ（表示用ＣＧＲＯＭ）４１、印刷用キャラクタジェネレータＲＯＭ（印刷用ＣＧＲＯＭ）４２，ＲＯＭ４３及びＲＡＭ５０とから構成されている。表示用ＣＧＲＯＭ４１には、アルファベット文字や記号などの多数のキャラクタの各々に関して、所定文字サイズの表示用ドットパターンデータが格納されている。印刷用ＣＧＲＯＭ４２には、アルファベット文字や記号などの多数のキャラクタの各々に関して、印刷用ドットパターンデータが、各書体毎にコードデータに対応させて、複数の印字文字サイズ分が格納されている。
【００３７】
前記ＲＯＭ４３のプログラムエリアには、キーボード３から入力された文字、数字、記号等のキャラクタのコードデータに対応させてＬＣＤＣ３２を制御する表示駆動制御プログラム４７、印字に供する１ドット列毎のドットパターンデータを順次サーマルヘッド１９に転送してテープ送りモータ３６を駆動させて印刷する印刷駆動プログラム４８、本願特有の後述する印刷媒体が所定の幅以下であることが検出されたとき、文字の書体を簡易化する簡易化プログラム４９、印刷媒体が所定の幅以下であることが検出され、単語の中の文字の画数が所定の画数を超えたとき、その単語を同義語に変換するように指示されたときに動作する同義語変換プログラム５４が格納されている。更に、ＲＯＭ４３のデータエリアには、書体を選択するときに使用される書体データ５６、印刷媒体が所定の幅以下であるときに使用される簡易化された書体データ５７、文字の画数や同義語を検索するときに使用される国語・漢字辞書データ５８が格納されている。
また、前記ＲＡＭ５０には、キーボード３から入力された文字列データを格納するテキストメモリ５１や、ＣＰＵ４０で演算した演算結果を一時的に格納するワークメモリ５２やバッファ５３が設けられている。
【００３８】
続いて、前述のように構成された印刷装置１において、印刷された印刷媒体２３を作成するための操作の流れを図５乃至図１１に基づいて説明する。ここで、図5は、印刷装置１内で文字入力を行い、印刷媒体幅の閾値による書体の処理を行って、印刷された印刷媒体２３を作成するフローチャートである。尚、フローチャートの図面におけるステップは、Ｓと略記する。また、図６は、印刷媒体幅の閾値設定画面を説明する説明図、図７は、書体設定画面を説明する説明図、図８は、文字サイズ設定画面を説明する説明図、図９は、文字画数の閾値設定の要否設定画面を説明する説明図、図１０は、文字画数の閾値設定画面を説明する説明図、図１１は、単語を同義語に、または文字をひらがなに、または単語をひらがなに変換する画面を説明する説明図である。
【００３９】
先ず、S１で印刷装置１の初期設定を行う。初期設定の内容は、図５の初期設定表６１に示すように、印刷媒体幅の閾値の設定、書体の設定、文字サイズの設定、文字画数の閾値の設定、文字の画数設定に伴う単語を同義語に変換するか、または文字をひらがなに変換するか、または単語をひらがなに変換するかの設定である。
この初期設定において、印刷媒体幅の閾値の設定は、操作者が必要とする印刷媒体幅の閾値を図６の印刷媒体幅の閾値設定画面６０に示す印刷媒体幅の閾値選択画面の中から、キーボード３のカーソル移動キー３ｂを操作して画面のカーソルＢＫを移動させて選択することによって行われる。
一方、この印刷媒体幅の閾値と比較される印刷媒体の幅の検出は、印刷媒体カセット１０が印刷装置１のカセット保持部９にセットされたとき、印刷媒体カセット１０に設けられたテープ種検出用穴２４をカセット保持部９に設けられたテープ種検出センサ３０が検出し、その検出信号をＣＰＵ４０が判別して行う。また、印刷媒体カセット１０がセットされていないときは、ＬＣＤ５に「カセットがセットされていません。カセットをセットして下さい。」と表示される。更に、電源スイッチ６をＯＮにしたときには、印刷媒体幅の閾値は無し（図示せず）になっている。また、途中で設定を解除するときは「設定しない」を選択する。
また、書体の設定は、操作者が必要とする書体を図７の書体設定画面６２に示す書体選択画面の中から、キーボード３のカーソル移動キー３ｂを操作して画面のカーソルＢＫを移動させて選択することによって行われる。この選択操作をしない場合は、以前に選択された書体がそのまま使用される。尚、書体設定画面６２に示す書体選択画面のそれぞれの書体は、ＲＯＭ４３に書体データ５６として格納されている。
また、文字サイズの設定は、図８の文字サイズ設定画面６３に示す印刷媒体の幅に合わせた文字サイズ選択画面の中から、操作者が必要とする文字サイズをキーボード３のカーソル移動キー３ｂを操作して画面のカーソルＢＫを移動させて選択することによって行われる。これによって印刷媒体の幅に適応した文字サイズの設定が可能となる。この選択操作をしない場合は、以前に選択された文字サイズがそのまま使用される。
また、文字画数の閾値の設定は、電源スイッチ６をＯＮにしたときには設定無しになっている。そして、操作者が図９の文字画数の閾値設定の要否設定画面６４に示す「文字画数の閾値を設定する」を選択すると、図１０に示す文字画数の閾値設定画面６５に切り替わるが、この切り替わった直後の状態を本実施形態では文字画数の閾値を１５画に設定するようにしている。しかしながら、この図１０の文字画数の閾値設定画面６５の文字画数の閾値選択画面の中から、操作者がキーボード３のカーソル移動キー３ｂを操作して画面のカーソルＢＫを移動させて選択することによって文字画数の閾値を自由に選択することもできる。これによって文字のつぶれの調整が可能となる。
さらに、文字画数の閾値が文字画数の閾値選択画面より選択される図１１に示す変換方法設定画面６６のように切り替わり、単語を同義語に変換するか、または文字をひらがなに変換するか、または単語をひらがなに変換するかの設定を、この変換方法設定画面６６の設定画面の中から、操作者がキーボード３のカーソル移動キー３ｂを操作して画面のカーソルＢＫを移動させながら選択設定する。
【００４０】
次に、Ｓ２に進み、キーボード３から所望する文字が入力され、制御装置４６のテキストメモリ５１に格納される。
【００４１】
次に、Ｓ３に進み、印刷媒体幅が所定の閾値以下であるか判断する。その判断は、印刷媒体カセット１０が印刷装置１のカセット保持部９にセットされたとき、印刷媒体カセット１０に設けられたテープ種検出用穴２４をカセット保持部９に設けられたテープ種検出センサ３０が検出し、その検出信号をＣＰＵ４０が判別して行う。そこで、印刷媒体幅が所定の閾値以下でない場合（Ｓ３：ＮＯ）、Ｓ４に進み、Ｓ１で初期設定された書体と文字サイズに従い、入力された文字列をイメージに展開し、サーマル印刷機構４で印刷されて印刷媒体２３ができる。
【００４２】
Ｓ３に戻って、印刷媒体幅が所定の閾値以下である場合（Ｓ３：ＹＥＳ）、Ｓ５に進み、Ｓ１で指定された書体に展開された文字を簡易化された書体データ５７に置き換える。この簡易化された書体データ５７は、小さい文字でも見易いように線を細くしたり、場合によっては線を省略したりして作成されている。この簡易化された書体データ５７は、上述のように制御装置４６のＲＯＭ４３に格納されている。
【００４３】
次に、Ｓ６に進み、更に文字列を見易くするステップに進むために文字の画数を利用するか判断する。そこで、文字の画数を利用しない場合（Ｓ６：ＮＯ）、Ｓ７に進み、入力された文字列をＳ５で置き換えられた簡易化された書体データ５７を用いてイメージに展開し、サーマル印刷機構４で印刷されて印刷された印刷媒体２３ができる。
【００４４】
Ｓ６に戻って、文字の画数を利用する場合（Ｓ６：ＹＥＳ）、Ｓ８に進み、制御装置４６のテキストメモリ５１に格納されている文字列を単語単位に分解する。そして、Ｓ９に進み、Ｓ８で分解した単語の一つを抽出する。
【００４５】
次に、Ｓ１０に進み、Ｓ９で抽出した一つ単語の中に所定の閾値画数を超える文字があるか判断する。そこで、Ｓ９で抽出した一つ単語の中に所定の閾値画数を超える文字がある場合（Ｓ１０：ＹＥＳ）、Ｓ１１に進む。
【００４６】
次に、Ｓ１１では、更に文字列を見易くするステップに進むために、Ｓ１で初期設定した内容において「単語を同義語に変換する」が設定されているか判断する。そこで、「単語を同義語に変換する」が設定されている場合（Ｓ１１：ＹＥＳ）、Ｓ１２に進み、対象単語を同義語に変換してＳ１６に進む。
【００４７】
Ｓ１１に戻って、「単語を同義語に変換する」が設定されていない場合（Ｓ１１：ＮＯ）、Ｓ１３に進む。
【００４８】
次に、Ｓ１３では、更に文字列を見易くするステップに進むために、Ｓ１で初期設定した内容において「文字をひらがなに変換する」が設定されているか判断する。そこで、「文字をひらがなに変換する」が設定されている場合（Ｓ１３：ＹＥＳ）、Ｓ１４に進み、対象文字をひらがなに変換してＳ１６に進む。
【００４９】
Ｓ１３に戻って、「文字をひらがなに変換する」が設定されていない場合（Ｓ１３：ＮＯ）、Ｓ１で初期設定した内容の「単語をひらがなに変換する」と同等になるので、Ｓ１５に進んで対象単語をひらがなに変換してＳ１６に進む。
【００５０】
更に、Ｓ１０に戻って、Ｓ９で抽出した一つ単語の中に所定の閾値画数を超える文字がない場合（Ｓ１０：ＮＯ）、Ｓ１６に進む。
【００５１】
次に、Ｓ１６では、Ｓ１０、Ｓ１２、Ｓ１４、Ｓ１５のそれぞれから進んできた処理に対して残りの文字列があるか判断する。そこで、残り文字列が有る場合（Ｓ１６：ＹＥＳ）、Ｓ８に進み、Ｓ８以後の流れを繰り返す。
【００５２】
Ｓ１６に戻り、残り文字列が無い場合（Ｓ１６：ＮＯ）、Ｓ１７に進み、各簡易化手段（見易くするステップ）に基づいて、変換された文字列にも簡易化された書体データ５７を用いてイメージに展開し、サーマル印刷機構４で印刷されて印刷された印刷媒体２３が作成される。
尚、上述のフローチャートでは、単語を同義語に変換、文字をひらがなに変換、単語をひらがなに変換をいずれか一つを選択するようにプログラムしているが、二つ又は三つの組み合わせで行ってもよい。
【００５３】
続いて、図１２乃至図１５に基づいて、図１２に示す初期設定表６８の設定によって実際に印刷された印字媒体２３を作成する工程を図５のフローチャートを参照しつつ説明する。ここで、図１２は、（工程１）ひらがな変換によって印刷された印刷媒体２３を作成するための文字入力の画面表示６７を説明する説明図、図１３は、（工程２）入力された文字列を単語に分解するイメージを説明する説明図、図１４は、（工程３）印刷された印刷媒体２３を作成するために入力されて簡易化された文字列の画面表示６９を説明する説明図、図１５は、（工程４）文字のひらがな変換によって印刷された印刷媒体２３の完成図である。また、図１２に示す初期設定表６８の内容は「印刷媒体幅の閾値：３．５mm、書体：ＭＳ明朝、文字サイズ：８（pt）、文字画数の閾値：１５（画）、単語を同義語に変換：しない、文字をひらがなに変換：する、単語をひらがなに変換：しない」であり、カセット保持部９にセットされている印刷媒体カセット１０の幅は３．５mmである。そして、入力する文字列は「楽曲タイトル一覧」である。この設定によって、「楽曲タイトル一覧」とキーボード３から入力された文字列が、この文字列に画数が１５（画）以上の文字が含まれる場合には、印刷媒体幅の閾値が３．５mmであるので文字のひらがな変換がなされて、印刷媒体カセット１０の３．５mmの印刷媒体に８（pt）の文字サイズで印刷される。
【００５４】
先ず、図１２について説明する。図１２に示す前述の初期設定表６８に基づいて、キーボード３から「楽曲タイトル一覧」の文字列を入力し、ＬＣＤ５に印刷媒体の外形とカーソルの縦棒と共に印字イメージとして表示している。これは、図５のフローチャートにおけるＳ１、Ｓ２、Ｓ３、Ｓ５とステップを踏む状態である。
【００５５】
次に、図１３について説明する。図１３では、印刷装置１の制御装置４６の内部で行われる処理で入力された文字列を単語に分解し、文字の画数の解析をＲＯＭ４３に格納されている国語・漢字辞書データ５８を使用して行っている。そして、図１２の初期設定表６８によれば、文字画数の閾値が１５（画）で、文字をひらがなに変換するという設定なので、「一覧」という単語の「覧」の文字が１７（画）でこの設定に相当する。そのため、「覧」という文字を「らん」とひらがなに変換する。これは、図５のフローチャートにおけるＳ６、Ｓ８、Ｓ９、Ｓ１０、Ｓ１１、Ｓ１３、Ｓ１４とステップを踏む状態である。
【００５６】
次に、図１４について説明する。図１４では、印刷された印刷媒体２３を作成するために入力されて簡易化された文字列の画面表示６９が、LCD５に印刷媒体の外形と共に印刷イメージとして「楽曲タイトル一らん」の文字列が印刷媒体の外形と共に表示されている。これは、図５のフローチャートにおけるＳ１４の状態である。
【００５７】
そして、図１５について説明する。図１５は、幅３．５mmの印刷された印刷媒体２３が完成された図を示している。キーボード３から入力された「楽曲タイトル一覧」の文字列が、文字画数の閾値を１５（画）に設定し、文字をひらがなに変換するに設定したことによって「覧」がその文字に相当し、最終的に「楽曲タイトル一らん」の文字列がサーマル印刷機構４によって印刷されて、印刷された印刷媒体２３が完成する。これは、図５のフローチャートにおいてＳ１４、Ｓ１６、Ｓ１７とステップを踏んできた結果である。
【００５８】
更に、図１６及び図１７に基づいて、文字の簡易化手段として、前述した文字のひらがな変換以外の単語の同義語変換と単語のひらがな変換について説明する。ここで、図１６は、単語の同義語変換によって印刷された印刷媒体２３の作成工程を示す説明図、図１７は、単語のひらがな変換によって印刷された印刷媒体２３の作成工程を示す説明図である。
【００５９】
先ず、図１６について説明する。図１６に示す初期設定表７０の内容は「印刷媒体幅の閾値：３．５mm、書体：ＭＳ明朝、文字サイズ：８（pt）、文字画数の閾値：１５（画）、単語を同義語に変換：する、文字をひらがなに変換：しない、単語をひらがなに変換：しない」であり、カセット保持部９にセットされている印刷媒体カセット１０の幅は３．５mmである。そして、入力する文字列は「楽曲タイトル一覧」である。この設定によって、「楽曲タイトル一覧」とキーボード３から入力された文字列に対して、この文字列に画数が１５（画）以上の文字を含む単語が有った場合には、印刷媒体幅の閾値が３．５mmであるのでその単語の同義語に変換した後に、印刷媒体カセット１０の３．５mmの印刷媒体に８（pt）の文字サイズで印刷される。
上述の設定に基づいて、「楽曲タイトル一覧」とキーボード３から文字列を入力すると、LCD５の画面に印刷された印刷媒体２３を作成するための文字入力の画面表示６７が表示される。そして、印刷媒体幅の閾値：３．５mm、文字画数の閾値：１５（画）の条件の下に、「楽曲タイトル一覧」と入力された文字列を単語に分解し、国語・漢字辞書データ５８から画数を解析する。その結果、「単語を同義語に変換する」の対象となる単語は「一覧」であることが解析され、国語・漢字辞書データ５８に含まれている同義語から同義語として「表」が選択されて変換される。この解析に基づいて、キーボード３から入力された「楽曲タイトル一覧」の文字列が、最終的に「楽曲タイトル表」の文字列に変換されてサーマル印刷機構４によって印刷されて、印刷された印刷媒体２３が完成する。尚、単語を同義語に変換する場合には、ＲＯＭ４３に格納されている同義語変換プログラム５４が使用される。
【００６０】
次に、図１７について説明する。図１７に示す初期設定表７１の内容は「印刷媒体幅の閾値：３．５mm、書体：ＭＳ明朝、文字サイズ：８（pt）、文字画数の閾値：１５（画）、単語を同義語に変換：しない、文字をひらがなに変換：しない、単語をひらがなに変換：する」であり、カセット保持部９にセットされている印刷媒体カセット１０の幅は３．５mmである。そして、入力する文字列は「楽曲タイトル一覧」である。この設定によって、「楽曲タイトル一覧」とキーボード３から入力された文字列に対して、この文字列に画数が１５（画）以上の文字を含む単語が有った場合には、印刷媒体幅の閾値が３．５mmであるのでその単語をひらがなに変換した後に、印刷媒体カセット１０の３．５mmの印刷媒体に８（pt）の文字サイズで印刷される。
上述の設定に基づいて、「楽曲タイトル一覧」とキーボード３から文字列を入力すると、LCD５の画面に印刷された印刷媒体を作成するための文字入力の画面表示６７ｂが表示される。そして、印刷媒体幅の閾値：３．５mm、文字画数の閾値：１５（画）の条件の下に、「楽曲タイトル一覧」と入力された文字列を単語に分解し、国語・漢字辞書データ５８から画数を解析する。その結果、「単語をひらがなに変換する」の対象となる単語は「一覧」であることが解析され、「一覧」が「いちらん」に変換される。この解析に基づいて、キーボード３から入力された「楽曲タイトル一覧」の文字列が、最終的に「楽曲タイトルいちらん」の文字列に変換されてサーマル印刷機構４によって印刷されて、印刷された印刷媒体２３が完成する。
【００６１】
ここで、キーボード３、Enterキー３ａ、カーソル移動キー３ｂは入力手段を構成する。サーマルヘッド１９、駆動回路３５、サーマル印刷機構４、印刷駆動プログラム４８は印刷手段を構成する。印刷媒体カセット１０のテープ種検出用穴２４、テープ種検出センサ３０は検出手段を構成する。ＲＯＭ４３の簡易化プログラム４９、同義語変換プログラム５４、書体データ５６、簡易化された書体データ５７、国語・漢字辞書データ５８は第１の簡易化手段を構成する。ＲＯＭ４３の印刷駆動プログラム４８、ＣＰＵ４０は制御手段を構成する。ＲＯＭ４３の簡易化プログラム４９、同義語変換プログラム５４、書体データ５６、簡易化された書体データ５７、国語・漢字辞書データ５８は同義語変換手段を構成する。
【００６２】
以上詳細に説明した通り、本発明の第１の実施形態に係る印刷装置１では、印刷媒体カセット１０のテープ種検出用穴２４、テープ種検出センサ３０、ＣＰＵ４０等で構成される検出手段によりラミネートテープ１１等で構成される印刷媒体２３が所定の幅以下であることが検出されたとき、文字の書体を簡易化する、ＲＯＭ４３の簡易化プログラム４９、同義語変換プログラム５４、書体データ５６、簡易化された書体データ５７、国語・漢字辞書データ５８等で構成される第１の簡易化手段と、第１の簡易化手段によって簡易化された文字を、サーマルヘッド１９、駆動回路３５、サーマル印刷機構４、印刷駆動プログラム４８、で構成される印刷手段により印刷媒体に印刷する、ＲＯＭ４３の印刷駆動プログラム４８、ＣＰＵ４０等で構成される制御手段と、を備えたことにより、印刷媒体が所定の幅以下のとき印刷装置１は、入力された文字を印刷装置１が備えている文字を簡易化する第１の簡易化手段によって簡易化してから、印刷手段により印刷媒体に印刷するようにしたので、所定幅以下の印刷媒体であっても文字つぶれを防止することができる。
【００６３】
また、印刷装置１では、ＲＯＭ４３の簡易化プログラム４９、同義語変換プログラム５４、書体データ５６、簡易化された書体データ５７、国語・漢字辞書データ５８等で構成される第１の簡易化手段は、文字の画数が所定の画数を超えたとき、その文字をひらがなに変換するようにしたので、文字の画数が多いために文字がつぶれて読めないという問題を解決できる。
【００６４】
また、印刷装置１では、ＲＯＭ４３の簡易化プログラム４９、同義語変換プログラム５４、書体データ５６、簡易化された書体データ５７、国語・漢字辞書データ５８等で構成される第１の簡易化手段が、一つ以上の文字から構成される単語において、単語の中の少なくとも一つの文字の画数が所定の画数を超えたとき、その単語を全てひらがなに変換するようにしたので、文字の画数が多いために文字がつぶれて読めないという問題を解決できる。また、単語の中で一つの文字の画数が所定の画数を超えたことにより、その文字のみをひらがなに変換した単語を含む文章が読み難いという問題を解決することができる。
【００６５】
また、印刷装置１では、入力された単語を同義語に変換するための、ＲＯＭ４３の簡易化プログラム４９、同義語変換プログラム５４、書体データ５６、簡易化された書体データ５７、国語・漢字辞書データ５８等で構成される同義語変換手段を備え、第１の簡易化手段が、一つ以上の文字から構成される単語において、単語の中の少なくとも一つの文字の画数が所定の画数を超えたとき、その単語を同義語変換手段により同義語に変換するようにしたので、そのままその単語を使用すると文字がつぶれて読めなくなる問題をつぶれ難い同義語に変換したり、画数の少ない同義語に変換したりすることによって回避することができる。
【００６６】
また、印刷装置１では、ＲＯＭ４３の簡易化プログラム４９、同義語変換プログラム５４、書体データ５６、簡易化された書体データ５７、国語・漢字辞書データ５８等で構成される第１の簡易化手段が、簡易化する文字の画数を選択できるようにしたので、一律に簡易化する文字の画数を固定してしまうと設定した画数よりも少ない画数でも文字がつぶれたりする問題や、設定した画数よりも多い画数でも文字のつぶれに対して余裕があっても簡易化されたりする事柄をその都度簡易化する文字の画数を選択することによって解決することができる。
【００６７】
また、印刷装置１では、ＲＯＭ４３の簡易化プログラム４９、同義語変換プログラム５４、書体データ５６、簡易化された書体データ５７、国語・漢字辞書データ５８等で構成される第１の簡易化手段によって簡易化された文字が、文字の書体が簡易化された書体データ５７で構成される簡易化フォントであるので、文字の太さとか、文字の画数が多いために文字がつぶれて読めないという問題を解決できる。
【００６８】
次に、本発明に係る印刷システム１００について、本発明を具体化した第２の実施形態に基づき図面を参照しつつ詳細に説明する。第１の実施形態が文字を入力するキーボード３を内蔵する印刷装置１であって、印刷装置１自体で文字入力から印刷された印刷媒体２３を作成する自己完結型の装置であるのに対し、本発明の第２の実施形態（後述する図１８参照）は、第１の実施形態の印刷装置１とパーソナルコンピュータ（以後はＰＣと省略）１０１を接続した印刷システム１００であって、ＰＣ１０１のキーボード１０３及びマウス１０６から文字及び図形等を入力し、ＰＣ１０１からデータを送信するときは、ＰＣ１０１内で文字データと図形のラスタデータに分離してから接続された印刷装置１に送信して、印刷装置１で印刷された印刷媒体２３を作成するシステム構成になっている点が異なる。本発明の第２の実施形態では、この異なる点を説明し、使用する符号は同一機能のものは同一の符号を使用する。
【００６９】
先ず、印刷システム１００の構成を図１８に基づいて説明する。ここで、図１８は、第２の実施形態で印刷装置１とＰＣ１０１を接続して印刷システム１００を構成した状態を示す説明図である。
図１８に示すように、印刷装置１とＰＣ１０１は、印刷装置１に設けられているインターフェイスコネクタ１０９（図１９参照）とＰＣ１０１に設けられているインターフェイスコネクタ１１０（図１９参照）を介してインターフェイスケーブル１０２で接続されている。印刷装置１の構成は、第１の実施形態で説明しているのでここでは説明を省略する。ＰＣ１０１は、文字等を入力するキーボード１０３、ＣＰＵが内蔵されている本体１０４、キーボード１０３及びマウス１０６から入力された文字及び図形を表示してその画面上で編集作業を行う液晶ディスプレイ（以後はＬＣＤと省略）１０５、カーソルの移動及び動作の指示も行うマウス１０６で構成されている。そして、印刷システムアプリケーションソフト１４６を内蔵するＣＤ−ＲＯＭ１０７によって、印刷システムアプリケーションソフト１４６がＰＣ１０１にインストールされて使用可能状態になる。この印刷システムアプリケーションソフト１４６には、ＰＣ１０１のＬＣＤ１０５の表示を印刷システムアプリケーションソフト１４６の表示用に動作する表示駆動制御プログラム１４７、ＰＣ１０１から印刷装置１を動作させるための印刷駆動プログラム１４８、また、印刷装置１での簡易化を行うプログラムと同じ簡易化プログラム４９及び同義語変換プログラム５４、印刷装置１に内蔵する各書体と同じ書体データ５６、簡易化された書体データ５７及び国語・漢字辞書データ５８等が格納されている。
【００７０】
次に、第２の実施形態における印刷装置１の制御系について、図４に示す第１の実施形態における印刷装置１の制御系と異なる点を図１９に基づいて説明する。ここで、図１９は、印刷装置１の制御系のブロック図である。
図１９に示すように、入出力インターフェイス４４にはインターフェイスコネクタ１０９が設けられており、このインターフェイスコネクタ１０９とＰＣ１０１のインターフェイスコネクタ１１０とがインターフェイスケーブル１０２で接続されている。そして、ＰＣ接続用ＢＰＲＯＭ１０８が追加されてバス４５に接続している。このＰＣ接続用ＢＰＲＯＭ１０８には、ＰＣ１０１が印刷装置１を正常に動作させるためのプログラム（ドライバ）が記憶されている。その他は図４と同じであるので説明を省略する。この構成によって、ＰＣ１０１が印刷装置１を制御することができる。
【００７１】
続いて、前述のように構成された印刷システム１００において、印刷された印刷媒体２３を作成する為の操作の流れを図２０乃至図２２に基づいて説明する。ここで、図２０は、印刷システム１００のＰＣ１０１内で行われる処理のフローチャート、図２１は、印刷システム１００の印刷装置１内で行われる処理のフローチャート、図２２は、ＰＣ１０１のＬＣＤ１０５に表示されるシステム操作画面１１２を「単語をひらがなに変換する」で説明する説明図である。
【００７２】
先ず、図２０から説明する。図２０は、前述したように、印刷システム１００のＰＣ１０１内で行われる処理である。はじめに、S１０１で印刷システム１００の初期設定を行う。初期設定の内容は、図２０の初期設定表１１１に示すように、印刷媒体幅の閾値、書体の設定、文字サイズの設定、文字画数の閾値、文字画数の閾値の設定に伴う単語を同義語に変換するか、または文字をひらがなに変換するか、または単語をひらがなに変換するかの設定である。
この初期設定において印刷媒体幅の閾値の設定は、操作者が必要とする印刷媒体幅の閾値を図２２の印刷媒体幅の閾値設定画面１２３に示す印刷媒体幅の閾値選択画面の中から、マウス１０６によってマウスカーソル１１４を移動して操作者が必要とする閾値を選択することによって行われる。
一方、この印刷媒体幅の閾値と比較される印刷媒体の幅の検出は、印刷媒体カセット１０が印刷装置１のカセット保持部９にセットされたとき、印刷媒体カセット１０に設けられたテープ種検出用穴２４をカセット保持部９に設けられたテープ種検出センサ３０が検出し、その検出信号を印刷装置１のＣＰＵ４０が読み取ってその結果をＰＣ１０１に送信し、ＰＣ１０１がその送信されてきた信号に基づいて印刷媒体の幅の設定を行う。図２２の例では、印刷媒体の幅が３．５mmの印刷媒体カセット１０がセットされている。ここで、図２２は、ＰＣ１０１のＬＣＤ１０５に表示されるシステム操作画面１１２を「単語をひらがなに変換する」で説明する説明図である。一方、印刷媒体カセット１０がセットされていないときは、ＬＣＤ１０５に「カセットがセットされていません。カセットをセットして下さい。」と表示される。更に、印刷システム１００を立ち上げたときには、印刷媒体幅の閾値は無し（図示せず）になっている。また、途中で設定を解除するときは「しない」を選択する。
また、書体の設定は、図２２のシステム操作画面１１２（単語をひらがなに変換）の中の書体設定画面１１３に示す書体選択画面の中から、マウス１０６によってマウスカーソル１１４を移動して操作者が必要とする書体を選択することによって行われる。図２２の例では、ＭＳ明朝の書体が選択されている。この選択操作をしない場合は、以前に選択された書体がそのまま使用される。尚、書体設定画面１１３に示す書体選択画面のそれぞれの書体は、ＰＣ１０１の記憶媒体に書体データ５６として格納されている。また、全く同様の書体が、印刷装置１のＲＯＭ４３に書体データ５６として格納されている。
また、文字サイズの設定は、図２２のシステム操作画面１１２の中の文字サイズ設定画面１１５に、印刷装置１のカセット保持部９にセットされた印刷媒体カセット１０の印刷媒体の幅が表示され、その印刷媒体の幅に印刷可能な文字サイズ選択画面が表示されるので、その表示された文字サイズ選択画面の中から、マウス１０６によってマウスカーソル１１４を移動し、操作者が必要とする文字サイズを選択することによって設定される。図２２の例では、カセット保持部9にセットされている印刷媒体カセット１０の印刷媒体の幅が３．５mmであることが表示され、文字サイズは８(pt)が設定されている。この選択操作をしない場合は、以前に選択された文字サイズがそのまま使用される。あるいは、以前に選択された文字サイズが、カセット保持部9にセットされている印刷媒体の幅の印刷可能な文字サイズより大きい場合、文字サイズは、そのセットされた印刷媒体の幅に印刷可能な最大の文字サイズに設定される。
また、文字画数の閾値の設定は、印刷システム１００を立ち上げたときには設定無し（図示せず）になっている。そして、操作者が図２２の文字画数の閾値設定の要否設定画面１１６に示す「文字画数の閾値を設定する」を選択すると、図２２に示す文字画数の閾値設定画面１１７がアクティブになるが、この直後の状態を本実施形態では文字画数の閾値が１５画になるように自動的に設定している。しかしながら、このアクティブになった文字画数の閾値設定画面１１７の文字画数の閾値選択画面の中から、マウス１０６によってマウスカーソル１１４を移動させて、操作者が必要とする文字画数の閾値に文字の画数を自由に選択することもできる。これによって文字のつぶれの調整が可能となる。図２２の例では、文字画数の閾値の設定は、自動設定された１５（画）に設定されている。
そして、文字画数の閾値設定が選択されると単語を同義語に変換するか、または文字をひらがなに変換するか、または単語をひらがなに変換するかの設定に進み、図２２の変換方法設定画面１１８の変換方法の設定画面の中から、マウス１０６によってマウスカーソル１１４を移動して操作者が必要とする変換方法を選択することによって変換方法が設定される。図２２の例では、「単語をひらがなに変換する」が選択されている。
【００７３】
次に、Ｓ１０２に進み、キーボード１０３及びマウス１０６を操作して所望する文字や図形が入力され、ＰＣ１０１の入力バッファ（図示せず）に格納される。図２２のシステム操作画面１１２（単語をひらがなに変換）の中に示す文字及び図形の入力画面１１９には印刷媒体の幅が表示され、表示された寸法の枠内に入力された文字及び図形が表示される。そして、操作者が、マウス１０６によってマウスカーソル１１４を、同一画面内にある変換開始アイコン１２０をクリックすると変換動作が開始する。図２２の例では、キーボード１０３及びマウス１０６を操作して「楽曲タイトル一覧」と図形が入力され、「楽曲タイトル一覧」と図形とが合成されて、文字及び図形の入力画面１１９の表示された寸法の枠内に表示されている。
【００７４】
次に、Ｓ１０３に進み、印刷媒体幅が所定の閾値以下であるか判断する。その判断は、印刷媒体カセット１０が印刷装置１のカセット保持部９にセットされたとき、印刷媒体カセット１０に設けられたテープ種検出用穴２４をカセット保持部９に設けられたテープ種検出センサ３０が検出し、その検出信号を印刷装置１のＣＰＵ４０が読み取ってその結果をＰＣ１０１に送信し、ＰＣ１０１がその送信されてきた信号に基づいて印刷媒体の幅を読み取りその情報をＰＣ１０１に確保されている情報メモリ（図示せず）に格納し、その情報と印刷媒体幅の所定の閾値と比較して判断が行われる。そこで、印刷媒体幅が所定の閾値以下でない場合（Ｓ１０３：ＮＯ）、Ｓ１０４に進み、入力されてＰＣ１０１の入力バッファに格納される文字の書体をＰＣ１０１に格納される書体データ５６に基づいてＳ１０１で指定された書体へ展開し、その展開した文字にＰＣ１０１の入力バッファに格納された図形データを加えてラスタデータに展開してＳ１０５に進む。Ｓ１０５では、展開された文字及び図形データのラスタデータを印刷装置１に送信する。
【００７５】
Ｓ１０３に戻って、印刷媒体幅が所定の閾値以下である場合（Ｓ１０３：ＹＥＳ）、Ｓ１０６に進む。Ｓ１０６では、Ｓ１０２で入力されてＰＣ１０１の入力バッファに格納されている文字及び図形データの中から文字データ部分を抽出し、Ｓ１０７に進む。Ｓ１０７では、抽出された文字データの前に各種コマンド（モード切替コマンド、位置指定コマンド等）を付加してＥＳＣ／Ｐコードとし、Ｓ１０８に進む。Ｓ１０８では、ＰＣ１０１の入力バッファに格納されている文字データ以外のデータ部分をラスタデータに展開し、Ｓ１０９に進む。Ｓ１０９では、ＥＳＣ／Ｐコード及び展開されたラスタデータを印刷装置１に送信する。図２２の例では、印刷装置１のカセット保持部９にセットされている印刷媒体カセット１０の印刷媒体の幅が３．５mmであり、印刷媒体幅の閾値が３．５mmであるのでこのステップ（Ｓ１０３、Ｓ１０６、Ｓ１０７、Ｓ１０８、Ｓ１０９）に相当する。そのため、入力された「楽曲タイトル一覧」の文字データと枠の図形データの内、「楽曲タイトル一覧」の文字データを抽出して「楽曲タイトル一覧」の文字データの前に各種コマンドを付加してＥＳＣ／Ｐコードとし、一方、図形データをラスタデータに展開し、前述のＥＳＣ／Ｐコードとあわせ印刷装置１に送信する。
【００７６】
次に、図２１の説明をする。図２１は、前述したように、印刷システム１００の印刷装置１内で行われる処理である。はじめに、S１２１で、ＰＣ１０１から送信されてきたＥＳＣ／Ｐコード及びラスタデータを印刷装置１の制御装置４６に設けられているバッファ５３に格納して受信処理を行い、Ｓ１２２に進む。
【００７７】
次に、Ｓ１２２では、受信されたデータがラスタデータのみか判断する。そこで、受信されたデータがラスタデータのみの場合（Ｓ１２２：ＹＥＳ）、Ｓ１４１に進む。Ｓ１４１では、ラスタデータをイメージとしてイメージデータを印刷装置１のサーマル印刷機構４で印刷する。
【００７８】
Ｓ１２２に戻って、受信されたデータがラスタデータのみでない場合（Ｓ１２２：ＮＯ）、Ｓ１２３に進み、印刷装置１の制御装置４６に設けられているバッファ５３に格納されているＥＳＣ／Ｐコード及びラスタデータから、次のモード切替コマンドの前までのデータを取得してＳ１２４に進む。
ここで、モード切替コマンドは、１Ｂ＋６９＋６１のコードで表され、これに００のコードがプラスされるとこれ以降はＥＳＣ／Ｐモードになる。そして、ＥＳＣ／Ｐモードになってから、１Ｂ＋２４＋Ｘ座標＋Ｙ座標で表される位置指定コマンドが続き、次に、１Ｂ＋６Ｂ＋フォントＩＤで表されるフォント選択コマンドが続き、文字データが続く。また、次に続くモード切替コマンドである１Ｂ＋６９＋６１のコードに０１コードがプラスされるとこれ以降はラスタモードになり、ラスタデータが続く。そして、０Ｃで表される印刷コマンドが続く。
【００７９】
次に、Ｓ１２４では、取得した次のモード切替コマンドの前までのデータがＥＳＣ／Ｐモードであるか判断する。そこで、取得した次のモード切替コマンドの前までのデータがＥＳＣ／Ｐモードでない場合（Ｓ１２４：ＮＯ）、取得した次のモード切替コマンドの前までのデータがラスタモードであるので、Ｓ１２５に進み、ラスタデータをイメージとして印刷装置１の制御装置４６に設けられているワークメモリ５２に格納してＳ１３９に進む。
【００８０】
Ｓ１２４に戻って、取得した次のモード切替コマンドの前までのデータがＥＳＣ／Ｐモードである場合（Ｓ１２４：ＹＥＳ）、Ｓ１２６に進み、図２０のＳ１０１で指定された書体に展開された文字を簡易化された書体データ５７に置き換える。この簡易化された書体データ５７は、小さい文字でも見易いように線を細くしたり、場合によっては線を省略したりして作成されている。この簡易化された書体データ５７は、ＰＣ１０１の確保された記憶媒体に簡易化された書体データ５７としても格納されている。
【００８１】
次に、Ｓ１２７に進み、更に文字列を見易くするステップに進むために文字の画数を利用するか判断する。そこで、文字の画数を利用しない場合（Ｓ１２７：ＮＯ）、Ｓ１２８に進み、入力された文字列をＳ１２６で置き換えられて簡易化された書体データ５７を用いてイメージに展開してＳ１３９に進む。
【００８２】
Ｓ１２７に戻って、文字の画数を利用する場合（Ｓ１２７：ＹＥＳ）、Ｓ１２９に進み、Ｓ１２６で簡易化された書体データ５７の文字列を単語単位に分解する。図２２の例では、文字の画数を利用するに設定されているのでこのステップ（Ｓ１２７、Ｓ１２９）に相当し、「楽曲タイトル一覧」が「楽曲／タイトル／一覧」の三つの単語に分解される。
そして、Ｓ１３０に進み、Ｓ１２９で分解した単語の一つを抽出する。
【００８３】
次に、Ｓ１３１に進み、Ｓ１３０で抽出した一つの単語の中に所定の閾値の画数を超える文字があるか判断する。そこで、Ｓ１３０で抽出した一つの単語の中に所定の閾値の画数を超える文字がある場合（Ｓ１３１：ＹＥＳ）、Ｓ１３２に進む。図２２の例では、文字画数の所定の閾値は、印刷システムを立ち上げたときに自動設定された１５（画）に設定されているので、「楽曲／タイトル／一覧」の三つの単語の中では、「一覧」の「覧」の文字が１７（画）で閾値を超える。
【００８４】
次に、Ｓ１３２では、更に文字列を見易くするステップに進むために、図２０のＳ１０１で初期設定した内容において「単語を同義語に変換する」が設定されているか判断する。そこで、「単語を同義語に変換する」が設定されている場合（Ｓ１３２：ＹＥＳ）、Ｓ１３３に進み、対象単語を同義語に変換してＳ１３７に進む。
【００８５】
Ｓ１３２に戻って、「単語を同義語に変換する」が設定されていない場合（Ｓ１３２：ＮＯ）、Ｓ１３４に進む。
【００８６】
次に、Ｓ１３４では、更に文字列を見易くするステップに進むために、図２０のＳ１０１で初期設定した内容において「文字をひらがなに変換する」が設定されているか判断する。そこで、「文字をひらがなに変換する」が設定されている場合（Ｓ１３４：ＹＥＳ）、Ｓ１３５に進み、対象文字をひらがなに変換してＳ１３７に進む。
【００８７】
Ｓ１３４に戻って、「文字をひらがなに変換する」が設定されていない場合（Ｓ１３４：ＮＯ）、図２０のＳ１０１で初期設定した内容の「単語をひらがなに変換する」と同等になるので、Ｓ１３６に進んで対象単語をひらがなに変換してＳ１３７に進む。図２２の例では、変換方法設定が「単語をひらがなに変換する」が選択されているのでこのステップ（Ｓ１３４、Ｓ１３６、Ｓ１３７）に相当し、「一覧」が「いちらん」に変換される。
【００８８】
更に、Ｓ１３１に戻って、Ｓ１３０で抽出した一つ単語の中に所定の画数を超える文字がない場合（Ｓ１３１：ＮＯ）、Ｓ１３７に進む。
【００８９】
次に、Ｓ１３７では、Ｓ１３１、Ｓ１３３、Ｓ１３５、Ｓ１３６のそれぞれから進んできた処理に対して残りの単語があるか判断する。そこで、残り単語が有る場合（Ｓ１３７：ＹＥＳ）、Ｓ１２９に進み、Ｓ１２９以後の流れを繰り返す。
【００９０】
Ｓ１３７に戻り、残り単語が無い場合（Ｓ１３７：ＮＯ）、Ｓ１３８に進み、Ｓ１３１、Ｓ１３３、Ｓ１３５、Ｓ１３６まででそれぞれ処理されて進んできた文字列を各簡易化手段（見易くするステップ）に基づいて、変換された文字列にも簡易化された書体データ５７を用いてイメージに展開し、Ｓ１３９に進む。図２２の例では、「楽曲／タイトル／一覧」の「楽曲」、「タイトル」がそのままで、「一覧」が「いちらん」に変換され、「楽曲タイトル一覧」は「楽曲タイトルいちらん」に変換される。
【００９１】
次に、Ｓ１３９では、Ｓ１２５、Ｓ１２８、Ｓ１３８から進んできた展開済みのイメージと新たに展開したイメージを印刷位置に基づいて合成し、Ｓ１４０に進む。
【００９２】
次に、Ｓ１４０では、残りのデータがあるか判断する。そこで、残りのデータがある場合は（Ｓ１４０：ＹＥＳ）、Ｓ１２３に進み、Ｓ１２３以降を繰り返す。
【００９３】
そして、Ｓ１４０に戻って、残りのデータがない場合は（Ｓ１４０：ＮＯ）、Ｓ１４１に進み、図２２のシステム操作画面１１２の中に示す変換結果の画面１２１には印刷装置１内で行われた変換処理の結果がインターフェイスケーブル１０２を介してＰＣ１０１に送られ、変換結果の画面１２１に擬似的に表示され、表示された寸法の枠内に変換された文字及び図形が表示される。そして、操作者が、マウス１０６によってマウスカーソル１１４を、同一画面内にある印刷開始アイコン１２２をクリックするとイメージデータを印刷装置１のサーマル印刷機構４で印刷する。そして、図２５（後述する）に示すように、単語をひらがなに変換して印刷された印刷媒体２３が完成する。図２２の例では、システム操作画面１１２の中に、変換の結果画面１２１が表示され、更に、変換の結果画面１２１の中に表示された印刷媒体の幅寸法３．５mmを示す枠内に、変換された「楽曲タイトルいちらん」の文字列と図形が合成されて表示される。そして、操作者が、マウス１０６によってマウスカーソル１１４を、同一画面内にある印刷開始アイコン１２２をクリックするとイメージデータを印刷装置１のサーマル印刷機構４で印刷する。その結果、図２５に示すように、３．５mmの印刷媒体に８(pt)の文字サイズで「楽曲タイトルいちらん」の文字列と図形が合成されて印刷された印刷媒体２３が完成する。
尚、上述のフローチャートでは、単語を同義語に変換、文字をひらがなに変換、単語をひらがなに変換をいずれか一つを選択するようにプログラムしているが、二つ又は三つの組み合わせで行ってもよい。
【００９４】
上述したように、図２２の例は、ＰＣ１０１の液晶ディスプレイ１０５に表示されるシステム操作画面１１２の簡易化の変換方法を「単語をひらがなに変換する」で図２０及び図２１のフローチャートの説明と共に説明したが、「文字をひらがなに変換する」も「単語を同義語に変換する」も同様に説明することができる。ここでは、結果だけを図２３乃至図２７に基づいて説明する。ここで、図２３は、ＰＣ１０１のＬＣＤ１０５に表示されるシステム操作画面１２４を「文字をひらがなに変換する」で説明する説明図、図２４は、ＰＣ１０１のＬＣＤ１０５に表示されるシステム操作画面１２５を「単語を同義語に変換する」で説明する説明図、図２５は、単語をひらがな変換によって印刷された印刷媒体２３の完成図、図２６は、文字をひらがな変換によって印刷された印刷媒体２３の完成図、図２７は、単語を同義語変換によって印刷された印刷媒体２３の完成図である。
【００９５】
先ず、図２３から説明する。図２３に示すように、システム操作画面（文字をひらがなに変換）１２４内の印刷媒体幅の閾値設定画面１２３では、印刷媒体幅の閾値として３．５mmが選択されている。同様に、書体設定画面１１３では、ＭＳ明朝が設定されている。また、文字サイズ設定画面１１５では、文字サイズとして８（pt）の文字サイズが選択されている。また、文字画数の閾値設定の要否設定画面１１６では、「文字画数の閾値を設定する」が選択され、文字画数の閾値設定画面１１７では、文字画数の閾値として１５（画）が選択されている。そして、変換方法の設定画面１１８では、「文字をひらがなに変換する」が選択されている。このような条件の下に、キーボード１０３及びマウス１０６を使用して、システム操作画面（文字をひらがなに変換）１２４内の文字及び図形の入力画面１１９に「楽曲タイトル一覧」と文字列を入力し、この文字列を囲む図形を入力して、操作者が、マウス１０６によってマウスカーソル１１４を、同一画面内にある変換開始アイコン１２０をクリックすると、システム操作画面（文字をひらがなに変換）１２４内の変換の結果画面１２１に変換結果として「楽曲タイトル一らん」の文字列がこの文字列を囲む図形と共に表示される。そして、操作者が、マウス１０６によってマウスカーソル１１４を、同一画面内にある印刷開始アイコン１２２をクリックすると、「楽曲タイトル一らん」の文字列とこの文字列を囲む図形が印刷装置１のサーマル印刷機構４で印刷される。その結果、図２６に示すように、３．５mmの印刷媒体に８(pt)の文字サイズで「楽曲タイトル一らん」の文字列と文字列を囲む図形が印刷された印刷媒体２３が完成する。
【００９６】
次に、図２４の説明をする。図２４に示すように、システム操作画面（単語を同義語に変換）１２５内の印刷媒体幅の閾値設定画面１２３では、印刷媒体幅の閾値として３．５mmが選択されている。同様に、書体設定画面１１３では、ＭＳ明朝が設定されている。また、文字サイズ設定画面１１５では、文字サイズとして８（pt）の文字サイズが選択されている。また、文字画数の閾値設定の要否設定画面１１６では、「文字画数の閾値を設定する」が選択され、文字画数の閾値設定画面１１７では、文字画数の閾値として１５（画）が選択されている。そして、変換方法の設定画面１１８では、「単語を同義語に変換する」が選択されている。このような条件の下に、キーボード１０３及びマウス１０６を使用して、システム操作画面（単語を同義語に変換）１２５内の文字及び図形の入力画面１１９に「楽曲タイトル一覧」と文字列を入力し、この文字列を囲む図形を入力して、操作者が、マウス１０６によってマウスカーソル１１４を、同一画面内にある変換開始アイコン１２０をクリックすると、システム操作画面（単語を同義語に変換）１２５内の変換の結果画面１２１に変換結果として「楽曲タイトル表」の文字列がこの文字列を囲む図形と共に表示される。そして、操作者が、マウス１０６によってマウスカーソル１１４を、同一画面内にある印刷開始アイコン１２２をクリックすると、「楽曲タイトル表」の文字列とこの文字列を囲む図形が印刷装置１のサーマル印刷機構４で印刷される。その結果、図２７に示すように、３．５mmの印刷媒体に８(pt)の文字サイズで「楽曲タイトル表」の文字列と文字列を囲む図形が印刷された印刷媒体２３が完成する。
【００９７】
ここで、印刷駆動プログラム１４８，ＰＣ１０１は印刷制御手段を構成する。簡易化プログラム４９、同義語変換プログラム５４、書体データ５６、簡易化された書体データ５７、国語・漢字辞書データ５８は第１の簡易化手段を構成する。
【００９８】
以上詳細に説明した通り、本発明の第２の実施形態に係る印刷システム１００では、印刷装置１が、文字及び図形を印刷媒体に印刷する、サーマルヘッド１９、駆動回路３５、サーマル印刷機構４等で構成される印刷手段と、印刷媒体の幅が所定の幅以下であるか否かを検出する、印刷媒体カセット１０のテープ種検出用穴２４、テープ種検出センサ３０等で構成される検出手段とを備え、ＰＣ１０１は、検出手段により印刷媒体を構成するラミネートテープ１１が所定の幅以下であることが検出された検出信号を受信したとき、キーボード１０３、マウス１０６等で構成される入力手段によって入力された文字及び図形を、それぞれ文字を示す文字コードと図形のイメージを示すラスタデータに変換して印刷手段に送信する、印刷駆動プログラム１４８，ＰＣ１０１等で構成される印刷制御手段を備えたので、印刷媒体が所定の幅以下のときＰＣ１０１から印刷装置１に送る文字と図形のデータにおいて、文字と図形を一緒にしたラスタデータで送信して印刷するとつぶれて読めなくなる文字も、図形のイメージを示すラスタデータと分離して文字を示す文字コードで送信することによって印刷装置１に内蔵している書体データ５６、簡易化された書体データ５７を選択して使用できるので文字つぶれを防止することができる。
【００９９】
また、印刷システム１００では、印刷装置１が、印刷駆動プログラム１４８，ＰＣ１０１等で構成される印刷制御手段から送信された文字コードに基づいて、印刷装置１に内蔵されている所定幅以下の印刷媒体を構成するラミネートテープ１１用に調整された簡易化された書体データ５７に変換して、サーマルヘッド１９、駆動回路３５、テープ送りモータ３６、サーマル印刷機構４、印刷駆動プログラム４８等で構成される印刷手段により印刷媒体を構成するラミネートテープ１１に印刷するようにしたので、所定幅以下の印刷媒体を構成するラミネートテープ１１であっても文字つぶれを防止することができる。
【０１００】
また、印刷システム１００では、印刷装置１が、文字及び図形を印刷媒体を構成するラミネートテープ１１に印刷する、サーマルヘッド１９、駆動回路３５、テープ送りモータ３６、サーマル印刷機構４、印刷駆動プログラム４８等で構成される印刷手段と、印刷媒体を構成するラミネートテープ１１の幅が所定の幅以下であるか否かを検出する、印刷媒体カセット１０のテープ種検出用穴２４、テープ種検出センサ３０等で構成される検出手段と、検出手段により印刷媒体を構成するラミネートテープ１１が所定の幅以下であることが検出されたとき、文字の書体を簡易化する、簡易化プログラム４９、同義語変換プログラム５４、書体データ５６、簡易化された書体データ５７、国語・漢字辞書データ５８等で構成される第１の簡易化手段とを備え、ＰＣ１０１は、検出手段により印刷媒体を構成するラミネートテープ１１が所定の幅以下であることが検出された検出信号を受信したとき、キーボード１０３、マウス１０６、ＰＣ１０１等で構成される入力手段によって入力された文字及び図形をそれぞれ文字コードとラスタデータに分割して印刷手段に送信する、印刷駆動プログラム１４８，ＰＣ１０１等で構成される印刷制御手段とを備え、印刷装置１は、印刷制御手段から送信された文字コードの文字を第１の簡易化手段により簡易化するとともに、その簡易化された文字コードの文字と印刷制御手段から送信されたラスタデータとを合成して印刷手段により印刷媒体を構成するラミネートテープ１１に印刷するようにしたことにより、印刷媒体を構成するラミネートテープ１１が所定の幅以下のとき、ＰＣ１０１がＰＣ１０１から印刷装置１に送る文字と図形のデータにおいて、文字と図形を一緒にしたラスタデータで送信して印刷するとつぶれて読めなくなる文字も、図形のイメージを示すラスタデータと分離して文字を示す文字コードで送信し、印刷装置１が、この文字コードを基にして印刷装置１に備えられている第１の簡易化手段により簡易化するとともにその簡易化された文字コードの文字と同時に送られてきた図形のイメージを示すラスタデータと合成してから、印刷手段により印刷媒体を構成するラミネートテープ１１に印刷するようにしたので、所定幅以下の印刷媒体を構成するラミネートテープ１１であっても文字つぶれを防止することができる。
【０１０１】
次に、本発明に係る印刷システム１００について、本発明を具体化した第３の実施形態に基づき図面を参照しつつ詳細に説明する。第１の実施形態が文字を入力するキーボード３を内蔵する印刷装置１であって、印刷装置１自体で文字入力から印刷された印刷媒体２３を作成する自己完結型の装置であり、本発明の第２の実施形態は、第１の実施形態における印刷装置１とＰＣ１０１を接続した印刷システム１００であって、ＰＣ１０１のキーボード１０３及びマウス１０６から文字及び図形等を入力し、ＰＣ１０１からデータを送信するときは、ＰＣ１０１内で文字データと図形のラスタデータに分離してから接続された印刷装置１に送信して、印刷装置１で印刷された印刷媒体２３を作成するシステム構成になっており、印刷装置１内で文字の書体を簡易化するのに対して、本発明の第３の実施形態では、ＰＣ１０１内で文字の書体を簡易化する点が異なる。本発明の第３の実施形態ではこの異なる点を説明し、使用する符号は同一機能のものは同一の符号を使用する。
【０１０２】
先ず、印刷システム１００の構成であるが図１８及び図１９と全く同等の構成になっているので、ここでは詳細な説明を省略する。
図１８及び図１９に示すように、印刷装置１とＰＣ１０１は、印刷装置１に設けられているインターフェイスコネクタ１０９とＰＣ１０１に設けられているインターフェイスコネクタ１１０を介してインターフェイスケーブル１０２で接続されている。更に、印刷装置１の入出力インターフェイス４４のバス４５にはＰＣ接続用ＢＰＲＯＭ１０８が追加されて接続されている。このＰＣ接続用ＢＰＲＯＭ１０８には、ＰＣ１０１が印刷装置１を正常に動作させるためのプログラム（ドライバ）が記憶されている。そして、印刷システムアプリケーションソフト１４６を内蔵するＣＤ−ＲＯＭ１０７によって、印刷システムアプリケーションソフト１４６がＰＣ１０１にインストールされて使用可能状態になる。この印刷システムアプリケーションソフト１４６には、表示駆動制御プログラム１４７、印刷駆動プログラム１４８、簡易化プログラム４９、同義語変換プログラム５４、書体データ５６、簡易化された書体データ５７、国語・漢字辞書データ５８等が格納されている。
【０１０３】
続いて、前述のように構成された印刷システム１００において、印刷された印刷媒体２３を作成する為の操作の流れを図２８及び図２９に基づいて説明する。ここで、図２８は、印刷システム１００のＰＣ１０１内で行われる処理のフローチャート、図２９は、印刷システム１００の印刷装置１内で行われる処理のフローチャートである。また、ＰＣ１０１のＬＣＤ１０５に表示されるシステム操作画面は図２２乃至図２４と同等であるので説明は図２２を使用して行う。
【０１０４】
先ず、図２８から説明する。図２８は、前述したように、印刷システム１００のＰＣ１０１内で行われる処理である。はじめに、S２０１で印刷システム１００の初期設定を行う。初期設定の内容は、図２８の初期設定表１２６に示すように、印刷媒体幅の閾値、書体の設定、文字サイズの設定、文字画数の閾値、文字画数の閾値の設定に伴う単語を同義語に変換するか、または文字をひらがなに変換するか、または単語をひらがなに変換するかの設定である。
この初期設定において印刷媒体幅の閾値の設定は、操作者が必要とする印刷媒体幅の閾値を図２２の印刷媒体幅の閾値設定画面１２３に示す印刷媒体幅の閾値選択画面の中から、マウス１０６によってマウスカーソル１１４を移動して操作者が必要とする閾値を選択することによって行われる。
一方、この印刷媒体幅の閾値と比較される印刷媒体の幅の検出は、印刷媒体カセット１０が印刷装置１のカセット保持部９にセットされたとき、印刷媒体カセット１０に設けられたテープ種検出用穴２４をカセット保持部９に設けられたテープ種検出センサ３０が検出し、その検出信号を印刷装置１のＣＰＵ４０が読み取ってその結果をＰＣ１０１に送信し、ＰＣ１０１がその送信されてきた信号に基づいて印刷媒体の幅の設定を行う。図２２の例では、印刷媒体の幅が３．５mmの印刷媒体カセット１０がセットされている。一方、印刷媒体カセット１０がセットされていないときは、ＬＣＤ１０５に「カセットがセットされていません。カセットをセットして下さい。」と表示される。更に、印刷システム１００を立ち上げたときには、印刷媒体幅の閾値は無し（図示せず）になっている。また、途中で設定を解除するときは「しない」を選択する。
また、書体の設定は、図２２のシステム操作画面１１２（単語をひらがなに変換）の中の書体設定画面１１３に示す書体選択画面の中から、マウス１０６によってマウスカーソル１１４を移動して操作者が必要とする書体を選択することによって行われる。図２２の例では、ＭＳ明朝の書体が選択されている。この選択操作をしない場合は、以前に選択された書体がそのまま使用される。尚、書体設定画面１１３に示す書体選択画面のそれぞれの書体は、ＰＣ１０１の記憶媒体に書体データ５６として格納されている。
また、文字サイズの設定は、図２２のシステム操作画面１１２の中の文字サイズ設定画面１１５に、印刷装置１のカセット保持部９にセットされた印刷媒体カセット１０の印刷媒体の幅が表示され、その印刷媒体の幅に印刷可能な文字サイズ選択画面が表示されるので、その表示された文字サイズ選択画面の中から、マウス１０６によってマウスカーソル１１４を移動させ、操作者が必要とする文字サイズをクリックして必要な文字サイズを選択することによって設定される。図２２の例では、カセット保持部9にセットされている印刷媒体カセット１０の印刷媒体の幅が３．５mmであることが表示され、文字サイズは８(pt)が設定されている。この選択操作をしない場合は、以前に選択された文字サイズがそのまま使用される。あるいは、以前に選択された文字サイズが、カセット保持部9にセットされている印刷媒体の幅の印刷可能な文字サイズより大きい場合、文字サイズは、そのセットされた印刷媒体の幅に印刷可能な最大の文字サイズに設定される。
また、文字画数の閾値の設定は、印刷システム１００を立ち上げたときには設定無し（図示せず）になっている。そして、操作者が図２２の文字画数の閾値設定の要否設定画面１１６に示す「文字画数の閾値を設定する」を選択すると、図２２に示す文字画数の閾値設定画面１１７がアクティブになるが、この直後の状態を本実施形態では文字画数の閾値が１５画になるように自動的に設定している。しかしながら、このアクティブになった文字画数の閾値設定画面１１７の文字画数の閾値選択画面の中から、マウス１０６によってマウスカーソル１１４を移動させて、操作者が必要とする文字画数の閾値をクリックして文字の画数を自由に選択することもできる。これによって文字のつぶれの調整が可能となる。図２２の例では、文字画数の閾値の設定は、自動設定された１５（画）に設定されている。
そして、文字画数の閾値設定が選択されると単語を同義語に変換するか、または文字をひらがなに変換するか、または単語をひらがなに変換するかの設定に進み、図２２の変換方法設定画面１１８の変換方法の設定画面の中から、マウス１０６によってマウスカーソル１１４を移動して操作者が必要とする変換方法をクリックして選択することによって変換方法が設定される。図２２の例では、「単語をひらがなに変換する」が選択されている。
【０１０５】
次に、Ｓ２０２に進み、キーボード１０３及びマウス１０６を操作して所望する文字や図形が入力され、ＰＣ１０１の入力バッファ（図示せず）に格納される。図２２のシステム操作画面１１２（単語をひらがなに変換）の中に示す文字及び図形の入力画面１１９には印刷媒体の幅が表示され、表示された寸法の枠内に入力された文字及び図形が表示される。そして、操作者が、マウス１０６によってマウスカーソル１１４を、同一画面内にある変換開始アイコン１２０をクリックすると変換動作が開始する。図２２の例では、キーボード１０３及びマウス１０６を操作して「楽曲タイトル一覧」と図形が入力され、「楽曲タイトル一覧」と図形とが合成されて、文字及び図形の入力画面１１９の表示された寸法の枠内に表示されている。
【０１０６】
次に、Ｓ２０３に進み、印刷媒体幅が所定の閾値以下であるか判断する。その判断は、印刷媒体カセット１０が印刷装置１のカセット保持部９にセットされたとき、印刷媒体カセット１０に設けられたテープ種検出用穴２４をカセット保持部９に設けられたテープ種検出センサ３０が検出し、その検出信号を印刷装置１のＣＰＵ４０が読み取ってその結果をＰＣ１０１に送信し、ＰＣ１０１がその送信されてきた信号に基づいて印刷媒体の幅を読み取りその情報をＰＣ１０１に確保されている情報メモリ（図示せず）に格納し、その情報と印刷媒体幅の所定の閾値と比較して判断が行われる。そこで、印刷媒体幅が所定の閾値以下でない場合（Ｓ２０３：ＮＯ）、Ｓ２０４に進み、入力されてＰＣ１０１の入力バッファに格納される文字の書体をＰＣ１０１に格納されている書体データ５６に基づいてＳ２０１で指定された書体へ展開し、その展開した文字にＰＣ１０１の入力バッファに格納された図形データを加えてラスタデータに展開してＳ２０５に進む。Ｓ２０５では、展開された文字及び図形のラスタデータを印刷装置１に送信する。
【０１０７】
Ｓ２０３に戻って、印刷媒体幅が所定の閾値以下である場合（Ｓ２０３：ＹＥＳ）、Ｓ２０６に進み、Ｓ２０１で指定された書体に展開された文字を簡易化された書体データ５７に置き換える。この簡易化された書体データ５７は、小さい文字でも見易いように線を細くしたり、場合によっては線を省略したりして作成されている。この簡易化された書体データ５７は、ＰＣ１０１の印刷システムアプリケーションソフト１４６内に格納されている。図２２の例では、Ｓ２０１でＭＳ明朝の書体に展開された文字をＭＳ明朝の簡易化された書体データ５７に置き換える。
【０１０８】
次に、Ｓ２０７に進み、更に文字列を見易くするステップに進むために文字の画数を利用するか判断する。そこで、文字の画数を利用しない場合（Ｓ２０７：ＮＯ）、Ｓ２０８に進む。Ｓ２０８において、Ｓ２０２で入力されＳ２０１で指定された書体に展開された文字列は、Ｓ２０６で簡易化された書体データ５７に置き換えられているが、ここではその文字列のデータ及び図形データをラスタデータに展開してＳ２０９に進む。そしてＳ２０９では、展開された文字及び図形のラスタデータを印刷装置１に送信する。
【０１０９】
Ｓ２０７に戻って、文字の画数を利用する場合（Ｓ２０７：ＹＥＳ）、Ｓ２１０に進み、文字及び図形データの中から文字データ部分を抽出してＳ２１１に進む。Ｓ２１１では、簡易化された書体データ５７の文字列を単語単位に分解する。図２２の例では、文字の画数を利用するに設定されているのでこのステップ（Ｓ２０７、Ｓ２１０、２１１）に相当し、「楽曲タイトル一覧」が「楽曲／タイトル／一覧」の三つの単語に分解される。
そして、Ｓ２１２に進み、Ｓ２１１で分解した単語の一つを抽出する。
【０１１０】
次に、Ｓ２１３に進み、Ｓ２１２で抽出した一つの単語の中に所定の閾値の画数を超える文字があるか判断する。そこで、Ｓ２１２で抽出した一つの単語の中に所定の閾値の画数を超える文字がある場合（Ｓ２１３：ＹＥＳ）、Ｓ２１４に進む。図２２の例では、文字画数の所定の閾値は、印刷システムを立ち上げたときに自動設定された１５（画）に設定されているので、「楽曲／タイトル／一覧」の三つの単語の中では、「一覧」の「覧」の文字が１７（画）で閾値を超える。
【０１１１】
次に、Ｓ２１４では、更に文字列を見易くするステップに進むために、Ｓ２０１で初期設定した内容において「単語を同義語に変換する」が設定されているか判断する。そこで、「単語を同義語に変換する」が設定されている場合（Ｓ２１４：ＹＥＳ）、Ｓ２１５に進み、対象単語を同義語に変換してＳ２１９に進む。
【０１１２】
Ｓ２１４に戻って、「単語を同義語に変換する」が設定されていない場合（Ｓ２１４：ＮＯ）、Ｓ２１６に進む。
【０１１３】
次に、Ｓ２１６では、更に文字列を見易くするステップに進むために、Ｓ２０１で初期設定した内容において「文字をひらがなに変換する」が設定されているか判断する。そこで、「文字をひらがなに変換する」が設定されている場合（Ｓ２１６：ＹＥＳ）、Ｓ２１７に進み、対象文字をひらがなに変換してＳ２１９に進む。
【０１１４】
Ｓ２１６に戻って、「文字をひらがなに変換する」が設定されていない場合（Ｓ２１６：ＮＯ）、Ｓ２０１で初期設定した内容の「単語をひらがなに変換する」と同等になるので、Ｓ２１８に進んで対象単語をひらがなに変換してＳ２１９に進む。図２２の例では、変換方法設定が「単語をひらがなに変換する」が選択されているのでこのステップ（Ｓ２１６、Ｓ２１８、Ｓ２１９）に相当し、「一覧」が「いちらん」に変換される。
【０１１５】
更に、Ｓ２１３に戻って、Ｓ２１２で抽出した一つ単語の中に所定の画数を超える文字がない場合（Ｓ２１３：ＮＯ）、Ｓ２１９に進む。
【０１１６】
次に、Ｓ２１９では、Ｓ２１３、Ｓ２１５、Ｓ２１７、Ｓ２１８のそれぞれから進んできた処理に対して残りの単語があるか判断する。そこで、残り単語が有る場合（Ｓ２１９：ＹＥＳ）、Ｓ２１１に進み、Ｓ２１１以後の流れを繰り返す。
【０１１７】
Ｓ２１９に戻り、残り単語が無い場合（Ｓ２１９：ＮＯ）、Ｓ２２０に進み、Ｓ２２０では、文字データの前に各種コマンドを付加してＥＳＣ／Ｐコードとし、Ｓ２２１に進む。Ｓ２２１では、ＰＣ１０１の入力バッファに格納されている文字データ以外のデータ部分をラスタデータに展開し、Ｓ２２２に進む。Ｓ２２２では、ＥＳＣ／Ｐコード及び展開されたラスタデータを印刷装置１に送信する。図２２の例では、印刷装置１のカセット保持部９にセットされている印刷媒体カセット１０の印刷媒体の幅が３．５mmであり、印刷媒体幅の閾値が３．５mmであるのでこのステップ（Ｓ２０３、Ｓ２０７、Ｓ２１３、Ｓ２１６、Ｓ２１８、Ｓ２２０、Ｓ２２１、Ｓ２２２）に相当する。そのため、入力された「楽曲タイトル一覧」の文字データと図形データの内、「楽曲タイトル一覧」の文字データが「楽曲タイトルいちらん」に変換され、変換された「楽曲タイトルいちらん」の文字データの前に各種コマンドを付加してＥＳＣ／Ｐコードとする。一方、図形データをラスタデータに展開し、前述のＥＳＣ／Ｐコード及びラスタデータを印刷装置１に送信する。
【０１１８】
次に、図２９の説明をする。図２９は、前述したように、印刷システム１００の印刷装置１内で行われる処理である。はじめに、S２３１で、ＰＣ１０１から送信されてきたＥＳＣ／Ｐコード及びラスタデータを印刷装置１の制御装置４６に設けられているワークメモリ５２に格納して受信処理を行い、Ｓ２３２に進む。
【０１１９】
次に、Ｓ２３２では、受信されたデータがラスタデータのみか判断する。そこで、受信されたデータがラスタデータのみの場合（Ｓ２３２：ＹＥＳ）、Ｓ２３９に進み、図２２のシステム操作画面１１２の中に示す変換の結果画面１２１には変換された結果が実際の印刷結果の疑似画面として表示され、表示された寸法の枠内に変換された文字及び図形が表示される。そして、操作者が、マウス１０６によってマウスカーソル１１４を、同一画面内にある印刷開始アイコン１２２をクリックすると印刷装置１は、イメージデータをサーマル印刷機構４によって印刷することとなる。
【０１２０】
Ｓ２３２に戻って、受信されたデータがラスタデータのみでない場合（Ｓ２３２：ＮＯ）、Ｓ２３３に進み、印刷装置１の制御装置４６に設けられているワークメモリ５２に格納されているＥＳＣ／Ｐコード及びラスタデータから、次のモード切替コマンドの前までのデータを取得してＳ２３４に進む。
【０１２１】
次に、Ｓ２３４では、取得した次のモード切替コマンドの前までのデータがＥＳＣ／Ｐモードであるか判断する。そこで、取得した次のモード切替コマンドの前までのデータがＥＳＣ／Ｐモードでない場合（Ｓ２３４：ＮＯ）、取得した次のモード切替コマンドの前までのデータがラスタモードであるので、Ｓ２３５に進み、ラスタデータをイメージとして印刷装置１の制御装置４６に設けられているワークメモリ５２に格納してＳ２３７に進む。図２２の例では、ラスタデータに展開されている図形データがこれに相当し、図形のラスタデータをイメージとして印刷装置１の制御装置４６に設けられているワークメモリ５２に格納する。
【０１２２】
Ｓ２３４に戻って、取得した次のモード切替コマンドの前までのデータがＥＳＣ／Ｐモードである場合（Ｓ２３４：ＹＥＳ）、Ｓ２３６に進み、図２８のＳ２０１で指定された書体に展開された文字を簡易化された書体データ５７に置き換える。この簡易化された書体データ５７は、小さい文字でも見易いように線を細くしたり、場合によっては線を省略したりして作成されている。この簡易化された書体データ５７は、ＰＣ１０１の確保された記憶媒体に簡易化された書体データ５７としても格納されているが、印刷装置１の制御装置４６に設けられているＲＯＭ４３に簡易化された書体データ５７として格納されている。
【０１２３】
次に、Ｓ２３７に進み、Ｓ２３５、Ｓ２３６から進んできた展開済みのイメージと新たに展開したイメージを印刷位置に基づいて合成し、Ｓ２３８に進む。図２２の例では、印刷装置１の制御装置４６に設けられているワークメモリ５２にイメージとして格納されている図形「枠」のラスタデータとイメージに展開された「楽曲タイトルいちらん」のデータを印刷位置に基づいて合成する。
【０１２４】
次に、Ｓ２３８では、残りのデータがあるか判断する。そこで、残りのデータがある場合は（Ｓ２３８：ＹＥＳ）、Ｓ２３３に進み、Ｓ２３３以降を繰り返す。
【０１２５】
そして、Ｓ２３８に戻って、残りのデータがない場合は（Ｓ２３８：ＮＯ）、Ｓ２３９に進み、図２２のシステム操作画面１１２の中に示す変換の結果画面１２１には擬似的に変換された結果が表示され、表示された寸法の枠内に変換された文字及び図形が表示される。そして、操作者が、マウス１０６によってマウスカーソル１１４を、同一画面内にある印刷開始アイコン１２２をクリックすると印刷装置１は、イメージデータをサーマル印刷機構４によって印刷することとなる。そして、図２５に示すように、単語をひらがなに変換して印刷された印刷媒体２３が完成する。
尚、上述のフローチャートでは、単語を同義語に変換、文字をひらがなに変換、単語をひらがなに変換のいずれか一つを選択するようにプログラムしているが、二つ又は三つの組み合わせで行ってもよい。
【０１２６】
上述したように、第２の実施形態で説明した図２２の例は、第３の実施形態でもＰＣ１０１の液晶ディスプレイ１０５に表示されるシステム操作画面１１２の簡易化の変換方法を「単語をひらがなに変換する」で図２８及び図２９のフローチャートの説明と共に説明することができる。更に、「文字をひらがなに変換する」も「単語を同義語に変換する」も同様に説明することができる。そして、それらの結果は、第２の実施形態で説明した図２３のＰＣ１０１のＬＣＤ１０５に表示されるシステム操作画面１２４を「文字をひらがなに変換する」で説明する説明図、図２４のＰＣ１０１のＬＣＤ１０５に表示されるシステム操作画面１２５を「単語を同義語に変換する」で説明する説明図、図２６の文字をひらがな変換によって印刷された印刷媒体の完成図、図２７の単語を同義語変換によって印刷された印刷媒体の完成図と同様になるのでここでは説明を省略する。
【０１２７】
ここで、ＰＣ１０１の印刷システムアプリケーションソフト１４６に内蔵される簡易化プログラム４９、同義語変換プログラム５４、書体データ５６、簡易化された書体データ５７、国語・漢字辞書データ５８は第２の簡易化手段を構成する。
【０１２８】
以上詳細に説明した通り、本発明の第３の実施形態に係る印刷システム１００では、ＰＣ１０１が、文字を印刷装置１のＲＯＭ４３に内蔵される簡易化プログラム４９、同義語変換プログラム５４、書体データ５６、簡易化された書体データ５７、国語・漢字辞書データ５８等で構成される第１の簡易化手段によって簡易化するのと同様に簡易化するＰＣ１０１の印刷システムアプリケーションソフト１４６に内蔵される簡易化プログラム４９、同義語変換プログラム５４、書体データ５６、簡易化された書体データ５７、国語・漢字辞書データ５８等で構成される第２の簡易化手段を有し、印刷媒体カセット１０のテープ種検出用穴２４、テープ種検出センサ３０等で構成される検出手段により印刷媒体が所定の幅以下であることが検出された検出信号を受信したとき、キーボード１０３、マウス１０６、ＰＣ１０１等で構成される入力手段で入力された文字を第２の簡易化手段によって簡易化された文字コードに変換して、サーマルヘッド１９、駆動回路３５、サーマル印刷機構４、印刷駆動プログラム４８等で構成される印刷手段に送信するようにしたことにより、印刷媒体を構成するラミネートテープ１１が所定の幅以下のとき、ＰＣ１０１がＰＣ１０１から印刷手段に送る文字データを第２の簡易化手段によって簡易化し、文字のつぶれが無いことをＰＣ１０１側で確認してから文字データを印刷装置１に送信するようにしたので、印刷装置１がその文字データを印刷手段により印刷媒体を構成するラミネートテープ１１に印刷するとき、所定幅以下の印刷媒体を構成するラミネートテープ１１であっても文字つぶれ無しで印刷することができる。
【０１２９】
尚、本発明は、上記実施形態の記載に限定されるものでなく、その趣旨を逸脱しない範囲で様々な変更が可能である。
【図面の簡単な説明】
【０１３０】
【図１】本発明の第１の実施形態おける印刷装置の斜視図である。
【図２】印刷装置のカバー部材を開けた斜視図である。
【図３】印刷媒体カセットを装着したサーマル印刷機構の概略平面図である。
【図４】印刷装置の制御系のブロック図である。
【図５】印刷装置内で文字入力を行い、印刷媒体幅の閾値による書体の処理を行って、印刷された印刷媒体を作成するフローチャートである。
【図６】印刷媒体幅の閾値設定画面を説明する説明図である。
【図７】書体設定画面を説明する説明図である。
【図８】文字サイズ設定画面を説明する説明図である。
【図９】文字画数の閾値設定の要否設定画面を説明する説明図である。
【図１０】文字画数の閾値設定画面を説明する説明図である。
【図１１】単語を同義語に、または文字をひらがなに、または単語をひらがなに変換する画面を説明する説明図である。
【図１２】（工程１）ひらがな変換によって印刷された印刷媒体を作成するための文字入力の画面表示を説明する説明図である。
【図１３】（工程２）入力された文字列を単語に分解するイメージを説明する説明図である。
【図１４】（工程３）印刷された印刷媒体を作成するために入力されて簡易化された文字列の画面表示を説明する説明図である。
【図１５】（工程４）文字をひらがな変換によって印刷された印刷媒体の完成図である。
【図１６】単語の同義語変換によって印刷された印刷媒体の作成工程を示す説明図である。
【図１７】単語のひらがな変換によって印刷された印刷媒体の作成工程を示す説明図である。
【図１８】本発明の第２の実施形態における印刷装置とＰＣを接続して印刷システムを構成した状態を示す説明図である。
【図１９】印刷装置の制御系のブロック図である。
【図２０】印刷システムのＰＣ内で行われる処理のフローチャートである。
【図２１】印刷システムの印刷装置内で行われる処理のフローチャートである。
【図２２】ＰＣのＬＣＤに表示されるシステム操作画面を「単語をひらがなに変換する」で説明する説明図である。
【図２３】ＰＣのＬＣＤに表示されるシステム操作画面を「文字をひらがなに変換する」で説明する説明図である。
【図２４】ＰＣのＬＣＤに表示されるシステム操作画面を「単語を同義語に変換する」で説明する説明図である。
【図２５】単語をひらがな変換によって印刷された印刷媒体の完成図である。
【図２６】文字をひらがな変換によって印刷された印刷媒体の完成図である。
【図２７】単語を同義語変換によって印刷された印刷媒体の完成図である。
【図２８】本発明の第３の実施形態における印刷システムのＰＣ内で行われる処理のフローチャートである。
【図２９】印刷システムの印刷装置内で行われる処理のフローチャートである。
【符号の説明】
【０１３１】
１          印刷装置
３          キーボード
４          サーマル印刷機構
１０        印刷媒体カセット
１１        ラミネートテープ
１９        サーマルヘッド
２４        テープ種検出用穴
３０        テープ種検出センサ
４０        ＣＰＵ
４３        ＲＯＭ
４６        制御装置
４７        表示駆動制御プログラム
４８        印刷駆動プログラム
４９        簡易化プログラム
５０        ＲＡＭ
５４        同義語変換プログラム
５６        書体データ
５７        簡易化された書体データ
５６        書体データ
５７        簡易化された書体データ
１００      印刷システム
１０１      パーソナルコンピュータ（ＰＣ）
１０６      マウス
１４６      印刷システムアプリケーションソフ
１４８      印刷駆動プログラム
【図１】
2007233785.tif 000003
【図２】
2007233785.tif 000004
【図３】
2007233785.tif 000005
【図４】
2007233785.tif 000006
【図５】
2007233785.tif 000007
【図６】
2007233785.tif 000008
【図７】
2007233785.tif 000009
【図８】
2007233785.tif 000010
【図９】
2007233785.tif 000011
【図１０】
2007233785.tif 000012
【図１１】
2007233785.tif 000013
【図１２】
2007233785.tif 000014
【図１３】
2007233785.tif 000015
【図１４】
2007233785.tif 000016
【図１５】
2007233785.tif 000017
【図１６】
2007233785.tif 000018
【図１７】
2007233785.tif 000019
【図１８】
2007233785.tif 000020
【図１９】
2007233785.tif 000021
【図２０】
2007233785.tif 000022
【図２１】
2007233785.tif 000023
【図２２】
2007233785.tif 000024
【図２３】
2007233785.tif 000025
【図２４】
2007233785.tif 000026
【図２５】
2007233785.tif 000027
【図２６】
2007233785.tif 000028
【図２７】
2007233785.tif 000029
【図２８】
2007233785.tif 000030
【図２９】
2007233785.tif 000031